(57)【要約】      （修正有）【課題】カラーディスプレイデバイスおよびそのための駆動方法の提供。【解決手段】本発明は、第１の視認表面１３と、第２の視認表面１４とを有するディスプレイ層を備え、少なくとも５つ、ある場合には、６つの粒子を備えている電気泳動媒体をさらに備えているカラーディスプレイと、そのようなカラーディスプレイデバイスを駆動させ、少なくとも５つ、ある場合には、少なくとも６つの異なる色を各ピクセルまたはサブピクセルに表示する方法とに関する。一実施形態において、少なくとも５つ、ある場合には、６つの粒子は、互いに異なる光学特性を有する。【選択図】図２８
2019204095.tif 000002
【特許請求の範囲】
【請求項１】
明細書に記載された発明。
【発明の詳細な説明】
【技術分野】
【０００１】
本願は、米国特許出願公開第２０１５／０２３４２５０号および米国特許出願公開第２０１６／００１１４８４号に関連する。
【０００２】
本発明は、各ピクセルが、少なくとも５つ、ある場合には、少なくとも６つの高品質色状態を表示することができるカラーディスプレイデバイスと、そのようなカラーディスプレイデバイスを駆動する方法とに関する。
【背景技術】
【０００３】
カラーディスプレイを達成するために、カラーフィルタが、多くの場合、使用される。最も一般的アプローチは、カラーフィルタをピクセル化されたディスプレイの黒色／白色サブピクセルの上部に追加し、赤色、緑色、および青色を表示することである。赤色が所望されるとき、緑色および青色サブピクセルは、表示される唯一の色が赤色であるように、黒色状態に変えられる。青色が所望されるとき、緑色および赤色サブピクセルは、表示される唯一の色が青色であるように、黒色状態に変えられる。緑色が所望されるとき、赤色および青色サブピクセルは、表示される唯一の色が緑色であるように、黒色状態に変えられる。黒色状態が所望されるとき、全３つのサブピクセルは、黒色状態に変えられる。白色状態が所望されるとき、３つのサブピクセルは、それぞれ、赤色、緑色、および青色に変えられ、その結果、白色状態が、視認者によって見られる。
【０００４】
反射ディスプレイのためのそのような技法を使用する最大不利点は、サブピクセルの各々が、所望の白色状態の約１／３の反射率を有するので、白色状態が、かなり薄暗いことである。これを補償するために、第４のサブピクセルが、追加され得、それは、白色レベルが、赤色、緑色、または青色レベルを犠牲にして２倍にされるように、黒色および白色状態のみを表示することができる（各サブピクセルは、ピクセルの面積のわずか１／４である）。より明るい色が、白色ピクセルからの光を追加することによって達成されることができるが、これは、色域を犠牲にして達成され、色を非常に明るく、かつ不飽和にする。類似結果は、３つのサブピクセルの色飽和を低減させることによっても達成されることができる。このアプローチを用いても、白色レベルは、通常、白黒ディスプレイのそれの実質的に半分未満であり、それを良好に読み取り可能な白黒輝度およびコントラストを必要とする電子リーダまたはディスプレイ等のディスプレイデバイスのために容認不可能な選択肢にする。
【０００５】
カラーフィルタベースのディスプレイのこれらの不利点に照らして、３つ以上の色が各ピクセルにおいて表示され得るカラーディスプレイを開発するための試みが成されている。前述の第ＵＳ２０１５／０２３４２５０号（特許文献１）および第ＵＳ２０１６／００１１４８４号（特許文献２）に加え、米国特許第８，７１７，６６４号（特許文献３）、第ＵＳ２０１５／０１０３３９４号、第ＵＳ２０１５／００９７８７７号、米国特許第９，１７０，４６８号、第ＵＳ２０１５／０１９８８５８号、第ＵＳ２０１６／０１４０９０９号、および第ＵＳ２０１４／０３４０４３０号も参照されたい。便宜上、そのようなディスプレイは、以降、「ＭＣＰ」ディスプレイの「マルチカラーピクセル」と称され得る。各ピクセルにおいて表示される色の数を規定することが所望されるとき、参照は、「５−ＣＰ」および「６−ＣＰ」ディスプレイに為され得る。
【先行技術文献】
【特許文献】
【０００６】
【特許文献１】米国特許出願公開第２０１５／０２３４２５０号明細書
【特許文献２】米国特許出願公開第２０１６／００１１４８４号明細書
【特許文献３】米国特許第８，７１７，６６４号明細書
【発明の概要】
【課題を解決するための手段】
【０００７】
故に、本発明は、第１の視認表面と、ディスプレイ層の第１の表面から反対側の第２の表面とを有するディスプレイ層を提供し、ディスプレイ層は、流体中に分散させられる流体と、第１、第２、第３、第４、および第５のタイプの粒子を備えている電気泳動媒体をさらに備え、第１、第２、第３、第４、および第５のタイプの粒子は、それぞれ、互いに異なる第１、第２、第３、第４、および第５の光学特性を有し、第１、第３、および第４のタイプの粒子は、ある極性の電荷を有し、第２および第５のタイプの粒子は、反対極性の電荷を有し、第１のタイプの粒子は、第３のタイプの粒子を上回るゼータ電位または電気泳動移動度を有し、第３のタイプの粒子は、第４のタイプの粒子を上回るゼータ電位または電気泳動移動度を有し、第２のタイプの粒子は、第５のタイプの粒子を上回るゼータ電位または電気泳動移動度を有する。
【０００８】
本発明のディスプレイ層はまた、第１、第２、第３、第４、および第５の光学特性と異なる第６の光学特性を有する第６のタイプの粒子を備え得、第６のタイプの粒子は、第２および第５の粒子と同一極性の電荷を帯びているが、第２および第５のタイプの粒子のそれらの中間ゼータ電位または電気泳動移動度を有する。
【０００９】
本発明はまた、第１の視認表面と、ディスプレイ層の第１の表面から反対側の第２の表面とを有するディスプレイ層を駆動する方法を提供し、ディスプレイ層は、電場を第１の表面と第２の表面との間に印加する手段を具備し、ディスプレイ層は、流体中に分散させられる流体と、第１、第２、第３、第４、および第５のタイプの粒子を備えている、電気泳動媒体をさらに備え、第１、第２、第３、第４、および第５のタイプの粒子は、それぞれ、互いに異なる第１、第２、第３、第４、および第５の光学特性を有し、第１、第３、および第４のタイプの粒子は、ある極性の電荷を有し、第２および第５のタイプの粒子は、反対極性の電荷を有し、方法は、任意の順序において、
（ｉ）  第１のタイプの粒子を視認表面に向かって駆動する高レベルの大きさおよびある極性を有する第１の電場を印加し、それによって、ディスプレイ層に第１の光学特性を視認表面において表示させることと、
（ｉｉ）  第２のタイプの粒子を視認表面に向かって駆動する高レベルの大きさおよびある極性を有する第２の電場を印加し、それによって、ディスプレイ層に第２の光学特性を視認表面において表示させることと、
（ｉｉｉ）  第２の光学特性が視認表面において表示されているとき、第４のタイプの粒子を視認表面に向かって駆動する低レベルの大きさおよびある極性を有する第３の電場を印加し、それによって、ディスプレイ層に第４の光学特性を視認表面において表示させることと、
（ｉｖ）  第１の光学特性が視認表面において表示されているとき、第５のタイプの粒子を視認表面に向かって駆動する低レベルの大きさおよびある極性を有する第４の電場を印加し、それによって、ディスプレイ層に第５の光学特性を視認表面において表示させることと、
（ｖ）  第５の光学特性が視認表面において表示されているとき、第３のタイプの粒子を視認表面に向かって駆動する第１および第３の電場の中間の大きさおよびある極性を有する第５の電場を印加し、それによって、ディスプレイ層に第３の光学特性を視認表面において表示させることと
を含む。
【００１０】
方法では、電気泳動層は、第１、第２、第３、第４、および第５の光学特性と異なる第６の光学特性を有する、第６のタイプの粒子をさらに備え得、第６のタイプの粒子は、第２および第５の粒子と同一極性の電荷を帯びており、方法は、
（ｖｉ）  第４の光学特性が視認表面において表示されているとき、第６のタイプの粒子を視認表面に向かって駆動する第２および第４の電場の中間の大きさおよびある極性を有する第６の電場を印加し、それによって、ディスプレイ層に第６の光学特性を視認表面において表示させることをさらに含み得る。
【００１１】
本発明の５つまたは６つのうちのいずれかの粒子方法では、ステップ（ｉｉｉ）は、最初に、第４の粒子を第２の表面に向かって駆動するある極性を有する高電場を印加し、その後、第３の電場を印加することによってもたらされ得る。震動波形が、高電場の印加に先立って印加され得、高電場は、震動波形に先立って、第２の期間にわたって印加され得る。高電場の印加および第３の電場の印加は、少なくとも２回、少なくとも４回、または少なくとも８回、繰り返され得る。第３の電場の印加に続いて、無電場が、ある期間にわたって印加され得る。代替として、または加えて、無電場は、高電場の印加と第３の電場の印加との間のある期間にわたって印加され得る。
【００１２】
本発明の５つまたは６つのうちのいずれかの粒子方法では、ステップ（ｉｖ）は、最初に、第５の粒子を第２の表面に向かって駆動するある極性を有する高電場を印加し、その後、第４の電場を印加することによってもたらされ得る。震動波形が、高電場の印加に先立って印加され得、高電場は、震動波形に先立って、第２の期間にわたって印加され得る。高電場の印加および第４の電場の印加は、少なくとも２回、少なくとも４回、または少なくとも８回、繰り返され得る。第４の電場の印加に続いて、無電場が、ある期間にわたって印加され得る。代替として、または加えて、無電場は、高電場の印加と第４の電場の印加との間のある期間にわたって印加され得る。
【００１３】
本発明の５つまたは６つのうちのいずれかの粒子方法では、ステップ（ｖ）は、最初に、第３の粒子を第２の表面に向かって駆動する第５の電場のそれ未満の大きさおよびある極性を有する低電場を印加し、その後、第５の電場を印加することによってもたらされ得る。第５の電場のそれを上回る大きさであるが、それと同一極性を有する高電場が、低電場の印加に先立って印加され得る。震動波形が、高電場の印加に先立って印加され得る。高電場は、震動波形に先立って、第２の期間にわたって印加され得る。代替として、本発明の５つまたは６つのうちのいずれかの粒子方法では、ステップ（ｖ）は、最初に、第３の粒子を第２の表面に向かって駆動する第５の電場のそれ未満の大きさおよびある極性を有する低電場を印加し、その後、ゼロ電場の期間と交互する第５の電場の複数の期間を印加することによってもたらされ得る。第５の電場のそれを上回る大きさであるが、それと同一極性を有する高電場が、低電場の印加に先立って印加され得る。震動波形が、高電場に先立って印加され得る。高電場は、震動波形に先立って、第２の期間にわたって印加され得る。
【００１４】
本発明の６つの粒子方法では、ステップ（ｖｉ）は、最初に、第６の粒子を第２の表面に向かって駆動する第６の電場のそれ未満の大きさおよびある極性を有する低電場を印加し、その後、第６の電場を印加することによってもたらされ得る。第６の電場のそれを上回る大きさであるが、それと同一極性を有する高電場が、低電場の印加に先立って印加され得る。震動波形が、高電場に先立って印加され得る。高電場は、震動波形に先立って、第２の期間にわたって印加され得る。代替として、本発明の６つの粒子方法では、ステップ（ｖｉ）は、最初に、第６の粒子を第２の表面に向かって駆動する第６の電場のそれ未満の大きさおよびある極性を有する低電場を印加し、その後、ゼロ電場の期間と交互する第６の電場の複数の期間を印加することによってもたらされ得る。第６の電場のそれを上回る大きさであるが、それと同一極性を有する高電場が、低電場の印加に先立って印加され得る。震動波形が、高電場に先立って印加され得る。高電場は、震動波形に先立って、第２の期間にわたって印加され得る。
本明細書は、例えば、以下の項目も提供する。
（項目１）
ディスプレイ層であって、前記ディスプレイ層は、第１の視認表面（１３）と、前記ディスプレイ層の前記第１の表面（１３）から反対側の第２の表面（１４）とを有し、前記ディスプレイ層は、流体と、前記流体中に分散させられている第１（Ｋ）、第２（Ｙ）、第３（Ｂ）、第４（Ｒ）および第５（Ｗ）のタイプの粒子とを備えている電気泳動媒体をさらに備え、前記第１（Ｋ）、第２（Ｙ）、第３（Ｂ）、第４（Ｒ）および第５（Ｗ）のタイプの粒子は、それぞれ、互いに異なる第１、第２、第３、第４、および第５の光学特性を有し、前記第１（Ｋ）、第３（Ｂ）、および第４（Ｒ）のタイプの粒子は、ある極性の電荷を有し、前記第２（Ｙ）および第５（Ｗ）のタイプの粒子は、反対極性の電荷を有し、前記第１（Ｋ）のタイプの粒子は、前記第３（Ｂ）のタイプの粒子を上回るゼータ電位または電気泳動移動度を有し、前記第３（Ｂ）のタイプの粒子は、前記第４（Ｒ）のタイプの粒子を上回るゼータ電位または電気泳動移動度を有し、前記第２（Ｙ）のタイプの粒子は、前記第５（Ｗ）のタイプの粒子を上回るゼータ電位または電気泳動移動度を有する、ディスプレイ層。
（項目２）
前記第１、第２、第３、第４、および第５の光学特性と異なる第６の光学特性を有する第６（Ｇ）のタイプの粒子をさらに備え、前記第６（Ｇ）のタイプの粒子は、前記第２（Ｙ）および第５（Ｗ）のタイプの粒子と同一極性の電荷を帯びているが、前記第２（Ｙ）および前記第５（Ｗ）のタイプの粒子のそれらの中間ゼータ電位または電気泳動移動度を有する、項目１に記載のディスプレイ層。
（項目３）
ディスプレイ層を駆動する方法であって、前記ディスプレイ層は、第１の視認表面（１３）と、前記ディスプレイ層の前記第１の表面（１３）から反対側の第２の表面（１４）とを有し、前記ディスプレイ層は、電場を前記第１の表面と第２の表面との間に印加する手段（１１、１２ａ）を具備し、前記ディスプレイ層は、流体と、前記流体中に分散させられている第１（Ｋ）、第２（Ｙ）、第３（Ｂ）、第４（Ｒ）、および第５（Ｗ）のタイプの粒子とを備えている電気泳動媒体をさらに備え、前記第１（Ｋ）、第２（Ｙ）、第３（Ｂ）、第４（Ｒ）、および第５（Ｗ）のタイプの粒子は、それぞれ、互いに異なる第１、第２、第３、第４、および第５の光学特性を有し、前記第１（Ｋ）、第３（Ｂ）、および第４（Ｒ）のタイプの粒子は、ある極性の電荷を有し、前記第２（Ｙ）および第５（Ｗ）のタイプの粒子は、反対極性の電荷を有し、前記方法は、任意の順序において、
（ｉ）  前記第１（Ｋ）のタイプの粒子を前記視認表面（１３）に向かって駆動する高レベルの大きさおよびある極性を有する第１の電場を印加し、それによって、前記ディスプレイ層に前記第１の光学特性を前記視認表面（１３）において表示させることと、
（ｉｉ）  前記第２（Ｙ）のタイプの粒子を前記視認表面（１３）に向かって駆動する高レベルの大きさおよびある極性を有する第２の電場を印加し、それによって、前記ディスプレイ層に前記第２の光学特性を前記視認表面（１３）において表示させることと、
（ｉｉｉ）  前記第２の光学特性が前記視認表面（１３）において表示されているとき、前記第４（Ｒ）のタイプの粒子を前記視認表面（１３）に向かって駆動する低レベルの大きさおよびある極性を有する第３の電場（＋Ｖ’）を印加し、それによって、前記ディスプレイ層に前記第４の光学特性を前記視認表面（１３）において表示させることと、
（ｉｖ）  前記第１の光学特性が前記視認表面（１３）において表示されているとき、前記第５（Ｗ）のタイプの粒子を前記視認表面（１３）に向かって駆動する低レベルの大きさおよびある極性を有する第４の電場（−Ｖ’）を印加し、それによって、前記ディスプレイ層に前記第５の光学特性を前記視認表面（１３）において表示させることと、
（ｖ）  前記第５の光学特性が前記視認表面（１３）において表示されているとき、前記第３（Ｂ）のタイプの粒子を前記視認表面（１３）に向かって駆動する前記第１および第３の電場の中間の大きさおよびある極性を有する第５の電場（ＶＭ１）を印加し、それによって、前記ディスプレイ層に前記第３の光学特性を前記視認表面（１３）において表示させることと
を含む、方法。
（項目４）
前記電気泳動層は、前記第１、第２、第３、第４、および第５の光学特性と異なる第６の光学特性を有する第６（Ｇ）のタイプの粒子をさらに備え、前記第６（Ｇ）のタイプの粒子は、前記第２（Ｙ）および第５（Ｗ）粒子と同一極性の電荷を帯びており、前記方法は、
（ｖｉ）  前記第４の光学特性が前記視認表面（１３）において表示されているとき、前記第６（Ｇ）のタイプの粒子を前記視認表面（１３）に向かって駆動する前記第２および第４の電場の中間の大きさ（ＶＭ２）およびある極性を有する第６の電場を印加し、それによって、前記ディスプレイ層に前記第６の光学特性を前記視認表面（１３）において表示させること
をさらに含む、項目３に記載の方法。
（項目５）
ステップ（ｉｉｉ）は、最初に、前記第４（Ｒ）粒子を前記第２の表面（１３）に向かって駆動するある極性を有する高電場（ＶＨ２）を印加し、その後、前記第３の電場（＋Ｖ’）を印加することによってもたらされる、項目３に記載の方法。
（項目６）
ステップ（ｉｖ）は、最初に、前記第５の粒子を前記第２の表面に向かって駆動するある極性を有する高電場を印加し、その後、前記第４の電場を印加することによってもたらされる、項目３に記載の方法。
（項目７）
前記高電場の印加と前記第３または第４の電場の印加とは、少なくとも２回繰り返される、項目５または６に記載の方法。
（項目８）
前記高電場の印加と前記第３または第４の電場の印加とは、少なくとも４回繰り返される、項目７に記載の方法。
（項目９）
前記第３または第４の電場の印加に続くある期間にわたって無電場を印加することをさらに含む、項目５または６に記載の方法。
（項目１０）
前記高電場の印加と前記第３または第４の電場の印加との間のある期間にわたって無電場を印加することをさらに含む、項目５または６に記載の方法。
（項目１１）
ステップ（ｖ）は、最初に、前記第３の粒子を前記第２の表面に向かって駆動する前記第５の電場のそれ未満の大きさおよびある極性を有する低電場を印加し、その後、前記第５の電場を印加することによってもたらされる、項目３に記載の方法。
（項目１２）
ステップ（ｖ）は、最初に、前記第３の粒子を前記第２の表面に向かって駆動する前記第５の電場のそれ未満の大きさおよびある極性を有する低電場を印加し、その後、ゼロ電場の期間と交互する前記第５の電場の複数の期間を印加することによってもたらされる、項目３に記載の方法。
（項目１３）
前記第５の電場のそれを上回る大きさであるが、前記第５の電場と同一極性を有する高電場が、低電場の印加に先立って印加される、項目１１または１２に記載の方法。
（項目１４）
ステップ（ｖｉ）は、最初に、前記第６の粒子を前記第２の表面に向かって駆動する前記第６の電場のそれ未満の大きさおよびある極性を有する低電場を印加し、その後、前記第６の電場を印加することによってもたらされる、項目４に記載の方法。
（項目１５）
前記第６の電場のそれを上回る大きさであるが、前記第６の電場と同一極性を有する高電場が、低電場の印加に先立って印加される、項目１４に記載の方法。
（項目１６）
震動波形が、前記高電場に先立って印加される、項目５、６、１３、または１５に記載の方法。
（項目１７）
前記震動波形に先立って、第２の期間にわたって前記高電場を印加することをさらに含む、項目１６に記載の方法。
（項目１８）
ステップ（ｖｉ）は、最初に、前記第６の粒子を前記第２の表面に向かって駆動する前記第６の電場のそれ未満の大きさおよびある極性を有する低電場を印加し、その後、ゼロ電場の期間と交互する前記第６の電場の複数の期間を印加することによってもたらされる、項目４に記載の方法。
（項目１９）
前記第６の電場のそれを上回る大きさであるが、前記第６の電場と同一極性を有する高電場が、低電場の印加に先立って印加される、項目１８に記載の方法。
（項目２０）
震動波形が、前記高電場の印加に先立って印加される、項目１９に記載の方法。
（項目２１）
前記震動波形に先立って、第２の期間にわたって前記高電場を印加することをさらに含む、項目２０に記載の方法。
（項目２２）
電気泳動ディスプレイのための駆動方法であって、前記電気泳動ディスプレイは、視認側の第１の表面と、非視認側の第２の表面と、電気泳動流体とを備え、前記流体は、共通電極とピクセル電極の層との間に挟まれ、第１のタイプの粒子、第２のタイプの粒子、第３のタイプの粒子、第４のタイプの粒子、および第５のタイプの粒子を備え、それらの全ては、溶媒または溶媒混合物中に分散させられており、
（ａ）前記５つのタイプの顔料粒子は、互いに異なる光学特性を有し、
（ｂ）前記第１のタイプの粒子と前記第２のタイプの粒子とは、反対電荷極性を帯び、
（ｃ）前記第３および第４のタイプの粒子は、前記第１のタイプの粒子と同一電荷極性を帯び、前記第１のタイプ、前記第３のタイプ、および前記第４のタイプの粒子は、徐々に小さくなる大きさを有し、
（ｄ）前記第５のタイプの粒子は、前記第２のタイプの粒子と同一電荷極性を帯びているが、その大きさは、前記第２のタイプの粒子のそれを下回り、
前記方法は、以下の（Ａ）−（Ｉ）：
（Ａ）
（ｉ）第１の駆動電圧を前記電気泳動ディスプレイのピクセルに第１の期間にわたって印加することであって、前記第１の駆動電圧は、前記第１のタイプの粒子と同一極性を有し、前記第１の期間は、前記第１のタイプの粒子の色状態が前記視認側に現れるまで前記ピクセルを駆動するために十分である、こと、または
（ｉｉ）第２の駆動電圧を前記電気泳動ディスプレイのピクセルに第２の期間にわたって印加することであって、前記第２の駆動電圧は、前記第２のタイプの粒子と同一極性を有し、前記第２の期間は、前記第２のタイプの粒子の色状態が前記視認側に現れるまで前記ピクセルを駆動するために十分である、ことと、
（Ｂ）
（ｉ）前記電気泳動ディスプレイのピクセルを前記第２のタイプの粒子の色に駆動することと、
（ｉｉ）低駆動を電圧ある期間にわたって印加することであって、低駆動電圧は、前記第４のタイプの粒子と同一極性を有し、前記期間は、前記第２のタイプの粒子の色状態から、前記第４のタイプの粒子の色状態が前記視認側に現れるまで前記ピクセルを駆動するために十分である、ことと、
（Ｃ）
（ｉ）  第１の駆動電圧を前記電気泳動ディスプレイのピクセルに第１の期間にわたって印加し、前記ピクセルを前記第２のタイプの粒子の色状態に向かって駆動することと、
（ｉｉ）前記第２のタイプの粒子の色状態から、前記第４のタイプの粒子の色状態が前記視認側に現れるように前記ピクセルを駆動するために、第２の駆動電圧を前記ピクセルに第２の期間にわたって印加することであって、前記第２の駆動電圧は、前記第４のタイプの粒子と同一極性および前記第１の駆動電圧のそれを下回る大きさを有する、ことと、
ステップ（ｉ）および（ｉｉ）を繰り返すことと、
（Ｄ）
（ｉ）第１の駆動電圧を前記電気泳動ディスプレイのピクセルに第１の期間にわたって印加し、前記ピクセルを前記第２のタイプの粒子の色状態に向かって駆動することと、
（ｉｉ）前記第２のタイプの粒子の色状態から、前記第４のタイプの粒子の色状態が前記視認側に現れるように前記ピクセルを駆動するために、第２の駆動電圧を前記ピクセルに第２の期間にわたって印加することであって、前記第２の駆動電圧は、前記第４のタイプの粒子と同一極性および前記第１の駆動電圧のそれを下回る大きさを有する、ことと、
（ｉｉｉ）  無駆動電圧を前記ピクセルに第３の期間にわたって印加することと、
ステップ（ｉ）−（ｉｉｉ）を繰り返すことと、
（Ｅ）
（ｉ）第１の駆動電圧を前記電気泳動ディスプレイ内のピクセルに第１の期間にわたって印加し、前記ピクセルを前記第２のタイプの粒子の色状態に向かって駆動することと、
（ｉｉ）無駆動電圧を前記ピクセルに第２の期間にわたって印加することと、
（ｉｉｉ）前記第２のタイプの粒子の色状態から、前記第４のタイプの粒子の色状態が前記視認側に現れるように前記ピクセルを駆動するために、第２の駆動電圧を前記ピクセルに第２の期間にわたって印加することであって、前記第２の駆動電圧は、前記第４のタイプの粒子と同一極性および前記第１の駆動電圧のそれを下回る大きさを有する、ことと、
（ｉｖ）無駆動電圧を前記ピクセルに第４の期間にわたって印加することと、
ステップ（ｉ）−（ｉｖ）を繰り返すことと、
（Ｆ）
（ｉ）第１の駆動電圧を前記電気泳動ディスプレイのピクセルに第１の期間にわたって印加し、前記ピクセルを前記第１のタイプの粒子の色状態に向かって駆動することと、
（ｉｉ）前記第１のタイプの粒子の色状態から、前記第５のタイプの粒子の色状態が前記視認側に現れるように前記ピクセルを駆動するために、第２の駆動電圧を前記ピクセルに第２の期間にわたって印加することであって、前記第２の駆動電圧は、前記第５のタイプの粒子と同一極性および前記第１の駆動電圧のそれを下回る大きさを有する、ことと、
ステップ（ｉ）および（ｉｉ）を繰り返すことと、
（Ｇ）
（ｉ）第１の駆動電圧を前記電気泳動ディスプレイのピクセルに第１の期間にわたって印加し、前記ピクセルを前記第１のタイプの粒子の色状態に向かって駆動することと、
（ｉｉ）前記第１のタイプの粒子の色状態から、前記第５のタイプの粒子の色状態が前記視認側に現れるように前記ピクセルを駆動するために、第２の駆動電圧を前記ピクセルに第２の期間にわたって印加することであって、前記第２の駆動電圧は、前記第５のタイプの粒子と同一極性および前記第１の駆動電圧のそれを下回る大きさを有する、ことと、
（ｉｉｉ）無駆動電圧を前記ピクセルに第３の期間にわたって印加することと、
ステップ（ｉ）−（ｉｉｉ）を繰り返すことと、
（Ｈ）
（ｉ）第１の駆動電圧を前記電気泳動ディスプレイ内のピクセルに第１の期間にわたって印加し、前記ピクセルを前記第１のタイプの粒子の色状態に向かって駆動することと、
（ｉｉ）無駆動電圧を前記ピクセルに第２の期間にわたって印加することと、
（ｉｉｉ）前記第１のタイプの粒子の色状態から、前記第５のタイプの粒子の色状態が前記視認側に現れるように前記ピクセルを駆動するために、第２の駆動電圧を前記ピクセルに第３の期間にわたって印加することであって、前記第２の駆動電圧は、前記第５のタイプの粒子と同一極性を有し、前記第１の駆動電圧のそれを下回る大きさを有する、ことと、
（ｉｖ）無駆動電圧を前記ピクセルに第４の期間にわたって印加することと、
ステップ（ｉ）−（ｉｖ）を繰り返すことと、
（Ｉ）
前記方法は、前記第５のタイプの粒子の色状態から、前記第３のタイプの粒子の色状態が前記視認側に現れるように前記電気泳動ディスプレイのピクセルを駆動するために、駆動電圧、または駆動電圧と無駆動電圧とを交互させるパルス状波形を前記ピクセルに印加することを含み、前記ピクセルは、前記第５のタイプの粒子の色状態にあり、前記駆動電圧は、前記第３のタイプの粒子と同一極性を有する、ことと
のうちの任意の１つ以上のものを含む、方法。
（項目２３）
電気泳動ディスプレイのための駆動方法であって、前記電気泳動ディスプレイは、視認側の第１の表面と、非視認側の第２の表面と、電気泳動流体とを備え、前記流体は、共通電極とピクセル電極の層との間に挟まれ、第１のタイプの粒子、第２のタイプの粒子、第３のタイプの粒子、第４のタイプの粒子、第５のタイプの粒子、および第６のタイプの粒子を備え、それらの全ては、溶媒または溶媒混合物中に分散させられており、
（ａ）前記６つのタイプの顔料粒子は、互いに異なる光学特性を有し、
（ｂ）前記第１のタイプ、前記第３のタイプ、および前記第５のタイプは、それぞれ、高正粒子、中正粒子、および低正粒子であり、
（ｃ）前記第２のタイプ、前記第４のタイプ、および前記第６のタイプは、それぞれ、高負、中負、および低負粒子であり、
前記方法は、前記第５のタイプの粒子の色状態から、前記第４のタイプの粒子の色状態が前記視認側に現れるように前記電気泳動ディスプレイのピクセルを駆動するために、駆動電圧、または駆動電圧と無駆動電圧とを交互させるパルス状波形を前記ピクセルに印加することを含み、前記ピクセルは、前記第５のタイプの粒子の色状態にあり、前記駆動電圧は、前記第４のタイプの粒子と同一極性を有する、方法。
【図面の簡単な説明】
【００１５】
【図１】図１は、５つの異なる色状態を表示することができる、５つの異なるタイプの粒子を含むディスプレイ層を通した概略断面図である。
【図２】図２は、本発明の駆動方法において使用され得る、震動波形を示す。
【図３−１】図３−１から３−５は、図１のものに類似するが、本発明の駆動方法の種々のステップの間にもたらされる粒子位置の変化を図示する、概略断面図である。
【図３−２】図３−１から３−５は、図１のものに類似するが、本発明の駆動方法の種々のステップの間にもたらされる粒子位置の変化を図示する、概略断面図である。
【図３−３】図３−１から３−５は、図１のものに類似するが、本発明の駆動方法の種々のステップの間にもたらされる粒子位置の変化を図示する、概略断面図である。
【図３−４】図３−１から３−５は、図１のものに類似するが、本発明の駆動方法の種々のステップの間にもたらされる粒子位置の変化を図示する、概略断面図である。
【図３−５】図３−１から３−５は、図１のものに類似するが、本発明の駆動方法の種々のステップの間にもたらされる粒子位置の変化を図示する、概略断面図である。
【図４】図４は、図１に示されるディスプレイ層に図３−２に示される遷移をもたらさせ、低帯電正粒子の赤色を表示させるために使用され得る波形を図示する。
【図５】図５−７、８−１０、および１１−１３は、図４に示される波形の一部の代わりに使用され得る代替波形を図示する。
【図６】図５−７、８−１０、および１１−１３は、図４に示される波形の一部の代わりに使用され得る代替波形を図示する。
【図７】図５−７、８−１０、および１１−１３は、図４に示される波形の一部の代わりに使用され得る代替波形を図示する。
【図８】図５−７、８−１０、および１１−１３は、図４に示される波形の一部の代わりに使用され得る代替波形を図示する。
【図９】図５−７、８−１０、および１１−１３は、図４に示される波形の一部の代わりに使用され得る代替波形を図示する。
【図１０】図５−７、８−１０、および１１−１３は、図４に示される波形の一部の代わりに使用され得る代替波形を図示する。
【図１１】図５−７、８−１０、および１１−１３は、図４に示される波形の一部の代わりに使用され得る代替波形を図示する。
【図１２】図５−７、８−１０、および１１−１３は、図４に示される波形の一部の代わりに使用され得る代替波形を図示する。
【図１３】図５−７、８−１０、および１１−１３は、図４に示される波形の一部の代わりに使用され得る代替波形を図示する。
【図１４】図１４は、図１に示されるディスプレイ層に図３−３に示される遷移をもたらさせ、低帯電負粒子の白色を表示させるために使用され得る波形を図示する。
【図１５】図１５−１７、１８−２０、および２１−２３は、図１４に示される波形の一部の代わりに使用され得る代替波形を図示する。
【図１６】図１５−１７、１８−２０、および２１−２３は、図１４に示される波形の一部の代わりに使用され得る代替波形を図示する。
【図１７】図１５−１７、１８−２０、および２１−２３は、図１４に示される波形の一部の代わりに使用され得る代替波形を図示する。
【図１８】図１５−１７、１８−２０、および２１−２３は、図１４に示される波形の一部の代わりに使用され得る代替波形を図示する。
【図１９】図１５−１７、１８−２０、および２１−２３は、図１４に示される波形の一部の代わりに使用され得る代替波形を図示する。
【図２０】図１５−１７、１８−２０、および２１−２３は、図１４に示される波形の一部の代わりに使用され得る代替波形を図示する。
【図２１】図１５−１７、１８−２０、および２１−２３は、図１４に示される波形の一部の代わりに使用され得る代替波形を図示する。
【図２２】図１５−１７、１８−２０、および２１−２３は、図１４に示される波形の一部の代わりに使用され得る代替波形を図示する。
【図２３】図１５−１７、１８−２０、および２１−２３は、図１４に示される波形の一部の代わりに使用され得る代替波形を図示する。
【図２４】図２４−２７は、図１に示されるディスプレイ層に図３−４または３−５に示される遷移をもたらさせ、中正粒子の青色を表示させるために使用され得る波形を図示する。
【図２５】図２４−２７は、図１に示されるディスプレイ層に図３−４または３−５に示される遷移をもたらさせ、中正粒子の青色を表示させるために使用され得る波形を図示する。
【図２６】図２４−２７は、図１に示されるディスプレイ層に図３−４または３−５に示される遷移をもたらさせ、中正粒子の青色を表示させるために使用され得る波形を図示する。
【図２７】図２４−２７は、図１に示されるディスプレイ層に図３−４または３−５に示される遷移をもたらさせ、中正粒子の青色を表示させるために使用され得る波形を図示する。
【図２８】図２８は、図１のものに類似するが、６つの異なる色状態を表示することができる、６つの異なるタイプの粒子を含むディスプレイ層を通して得られる、概略断面図である。
【図２９−１】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−２】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−３】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−４】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−５】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−６】図２９−１から２９−７は、図３−１から３−５のものに類似するが、本発明の駆動方法の種々のステップ中にもたらされる、図２８のディスプレイ層内の粒子位置の変化を図示する、概略断面図である。
【図２９−７】図２９−１から２９−７は、図３−１から３−５のものに類似するが、本発明の駆動方法の種々のステップ中にもたらされる、図２８のディスプレイ層内の粒子位置の変化を図示する、概略断面図である。
【図３０】図３０−３３は、図２８に示されるディスプレイ層に図２９−６または２９−７に示される遷移をもたらさせ、中負粒子の緑色を表示させるために使用され得る波形を図示する。
【図３１】図３０−３３は、図２８に示されるディスプレイ層に図２９−６または２９−７に示される遷移をもたらさせ、中負粒子の緑色を表示させるために使用され得る波形を図示する。
【図３２】図３０−３３は、図２８に示されるディスプレイ層に図２９−６または２９−７に示される遷移をもたらさせ、中負粒子の緑色を表示させるために使用され得る波形を図示する。
【図３３】図３０−３３は、図２８に示されるディスプレイ層に図２９−６または２９−７に示される遷移をもたらさせ、中負粒子の緑色を表示させるために使用され得る波形を図示する。
【発明を実施するための形態】
【００１６】
本発明の駆動方法は、典型的には、誘電溶媒または溶媒混合物である流体中に分散させられた５つ、またはある場合には６つのタイプの粒子を備えているディスプレイ流体を利用する電気泳動ディスプレイを駆動するために好適である。粒子は、第１のタイプの粒子、第２のタイプの粒子、第３のタイプの粒子、第４のタイプの粒子、および第５のタイプの粒子、および第６のタイプの粒子（存在するとき）と称され得る。種々のタイプの粒子は、異なる光学特性を有する。これらの光学特性は、典型的には、ヒトの眼に知覚可能な色であるが、光透過、反射、発光、または機械読み取りのために意図されるディスプレイの場合、可視範囲外の電磁波長の反射率の変化の意味における擬色等の他の光学特質であり得る。本発明は、広義には、複数のタイプの粒子が視覚的に区別可能である限り、任意の色の粒子を包含する。例として、粒子は、白色粒子（Ｗ）、黒色粒子（Ｋ）、赤色粒子（Ｒ）、緑色粒子（Ｇ）、青色粒子（Ｂ）、シアン色粒子（Ｃ）、マゼンタ色粒子（Ｍ）、および黄色粒子（Ｙ）の任意の組み合わせであり得る。
【００１７】
加えて、種々のタイプの粒子は、異なるレベルの電荷電位を有する。例えば、５つのタイプの粒子は、高正粒子、中正粒子、低正粒子、高負粒子、および低負粒子、または代替として、高負粒子、中負粒子、低負粒子、高正粒子、および低正粒子であり得る。６つのタイプの粒子が存在するとき、それらは、高正粒子、中正粒子、低正粒子、高負粒子、中負粒子、および低負粒子であり得る。用語「電荷電位」は、本願の文脈では、「ゼータ電位」または電気泳動移動度と同義的に使用され得る。粒子の電荷極性および電荷電位のレベルは、米国特許出願公開第２０１４／００１１９１３号に説明される方法によって変動させられ得る。
【００１８】
「高正」粒子および「高負」粒子に関する電荷の大きさ、ゼータ電位、または電気泳動移動度は、同一または異なり得る。同様に、「中正」および「中負」粒子に関するこれらのパラメータの大きさも、同一または異なり得、「低正」粒子および「低負」粒子に関するこれらのパラメータの大きさも、同一または異なり得る。
【００１９】
すでに述べられたように、粒子の電荷電位は、ゼータ電位の観点から測定され得る。一実施形態では、ゼータ電位は、ＣＳＰＵ−１００信号処理ユニット、ＥＳＡ  ＥＮ＃Ａｔｔｎフロースルーセル（Ｋ：１２７）とともに、Ｃｏｌｌｏｉｄａｌ  Ｄｙｎａｍｉｃｓ製ＡｃｏｕｓｔｏＳｉｚｅｒ  ＩＩＭによって決定される。サンプルにおいて使用される溶媒の密度、溶媒の誘電率、溶媒中の音速、溶媒の粘度等の器具定数は、全て試験温度（２５℃）におけるものであり、試験前に入力される。顔料サンプルは、溶媒（通常、１２個未満の炭素原子を有する炭化水素流体である）中に分散させられ、重量比５〜１０％まで希釈される。サンプルは、１：１０の電荷制御剤と粒子の重量比を伴う、電荷制御剤（Ｂｅｒｋｓｈｉｒｅ  Ｈａｔｈａｗａｙ  Ｃｏｍｐａｎｙの小会社であるＬｕｂｒｉｚｏｌ  Ｃｏｒｐｏｒａｔｉｏｎから利用可能なＳｏｌｓｐｅｒｓｅ  １７０００；「Ｓｏｌｓｐｅｒｓｅ」は、登録商標である）も含む。希釈されたサンプルの質量が、決定され、サンプルは、次いで、ゼータ電位の決定のために、フロースルーセルの中に装填される。電気泳動移動度の測定のための方法および装置は、電気泳動ディスプレイの当業者に周知である。
【００２０】
粒子が典型的に分散させられる誘電流体は、透明かつ無色であり得る。それは、好ましくは、高粒子移動度のために、約２〜約３０、より好ましくは、約２〜約１５の範囲内の誘電定数を有する。好適な誘電流体の例として、炭化水素、例えば、イソパラフィン、デカヒドロナフタレン（ＤＥＣＡＬＩＮ）、５−エチリデン−２−ノルボルネン、脂肪油、パラフィン油、シリコン流体、芳香族炭化水素、例えば、トルエン、キシレン、フェニルキシリルエタン、ドデシルベンゼン、またはアルキルナフタレン、ハロゲン化溶媒、例えば、ペルフルオロデカリン、ペルフルオロトルエン、ペルフルオロキシレン、ジクロロベンゾトリフルオリド、３，４，５−トリクロロベンゾトリフルオリド、クロロペンタフルオロベンゼン、ジクロロノナン、またはペンタクロロベンゼン、フッ素化溶媒、例えば、３Ｍ  Ｃｏｍｐａｎｙ（Ｓｔ．Ｐａｕｌ  ＭＮ）製ＦＣ−４３、ＦＣ−７０、またはＦＣ−５０６０、低分子量のハロゲン含有ポリマー、例えば、ＴＣＩ  Ａｍｅｒｉｃａ（Ｐｏｒｔｌａｎｄ，Ｏｒｅｇｏｎ）製ポリ（ペルフルオロプロピレンオキシド）、ポリ（クロロトリフルオロエチレン）、例えば、Ｈａｌｏｃａｒｂｏｎ  Ｐｒｏｄｕｃｔ  Ｃｏｒｐ．（Ｒｉｖｅｒ  Ｅｄｇｅ，ＮＪ）製ハロカーボン油、ペルフルオロポリアルキルエーテル、例えば、Ａｕｓｉｍｏｎｔ製ＧａｌｄｅｎまたはＫｒｙｔｏｘ油およびグリースＫ−流体シリーズ（ＤｕＰｏｎｔ，Ｄｅｌａｗａｒｅ）、Ｄｏｗ−ｃｏｒｎｉｎｇ製ポリジメチルシロキサン系シリコーン油（ＤＣ−２００）が挙げられる。
【００２１】
粒子は、好ましくは、光透過性ではなく、光反射性であるべきであるという意味において、不透明である。色彩学における当業者には、粒子が光透過性である場合、本発明の具体的実施形態の以下の説明に現れる色状態のうちのいくつかは、著しく歪められるであろうこと、または得られないであろうことは、明白である。白色粒子は、当然ながら、反射性ではなく、光散乱性であるが、あまりに多くの光が白色粒子の層を通過しないことを確実にするように配慮されるべきである。例えば、以下に議論される図３−３に示される白色状態において、白色粒子の層が、光の実質的量をそれを通過させ、その背後の粒子から反射される場合、白色状態の輝度は、実質的に低減され得る。使用される粒子は、ポリマーシェルを伴わない一次粒子であり得る。代替として、各粒子は、ポリマーシェルを伴う不溶性コアを備え得る。コアは、有機または無機顔料のいずれかであり得、それは、単一コア粒子、または複数のコア粒子の集合体であり得る。粒子はまた、中空粒子であり得る。
【００２２】
白色粒子（Ｗ）の場合、一次粒子またはコア粒子は、ＴｉＯ２、ＺｒＯ２、ＺｎＯ、Ａｌ２Ｏ３、Ｓｂ２Ｏ３、ＢａＳＯ４、ＰｂＳＯ４等であり得る。黒色粒子（Ｋ）に対して、一次粒子またはコア粒子は、Ｃｌピグメントブラック２６または２８等（例えば、マンガンフェライトブラックスピネルまたは銅クロム鉄鉱ブラックスピネル）またはカーボンブラックであり得る。他の着色粒子（非白色および非黒色である）に対して、一次粒子またはコア粒子は、限定ではないが、ＣＩピグメントＰＲ２５４、ＰＲ１２２、ＰＲ１４９、ＰＧ３６、ＰＧ５８、ＰＧ７、ＰＢ１５：３、ＰＹ８３、ＰＹ１３８、ＰＹ１５０、ＰＹ１５５、またはＰＹ２０を含み得る。それらは、カラーインデックスハンドブック「Ｎｅｗ  Ｐｉｇｍｅｎｔ  Ａｐｐｌｉｃａｔｉｏｎ  Ｔｅｃｈｎｏｌｏｇｙ」（ＣＭＣ  Ｐｕｂｌｉｓｈｉｎｇ  Ｃｏ，Ｌｔｄ（１９８６年））および「Ｐｒｉｎｔｉｎｇ  Ｉｎｋ  Ｔｅｃｈｎｏｌｏｇｙ」（ＣＭＣ  Ｐｕｂｌｉｓｈｉｎｇ  Ｃｏ，Ｌｔｄ（１９８４年））に説明される一般に使用されている有機顔料である。具体的例として、Ｃｌａｒｉａｎｔ製Ｈｏｓｔａｐｅｒｍ  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０、Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｆ２Ｇ−ＥＤＳ、Ｎｏｖｏｐｅｒｍ  Ｙｅｌｌｏｗ  ＨＲ−７０−ＥＤＳ、Ｈｏｓｔａｐｅｒｍ  Ｇｒｅｅｎ  ＧＮＸ、ＢＡＳＦ  Ｉｒｇａｚｉｎｅ  ｒｅｄ  Ｌ  ３６３０、Ｃｉｎｑｕａｓｉａ  Ｒｅｄ  Ｌ  ４１００  ＨＤ、およびＩｒｇａｚｉｎｅ  Ｒｅｄ  Ｌ  ３６６０  ＨＤ、Ｓｕｎ  Ｃｈｅｍｉｃａｌ製フタロシアニンブルー、フタロシアニングリーン、ジアリリドイエロー、またはジアリリドＡＡＯＴイエローが挙げられる。さらに、他の着色粒子（非白色および非黒色）に対して、一次粒子またはコア粒子はまた、赤色、緑色、青色、および黄色顔料等の無機顔料であり得る。例として、限定ではないが、ＣＩピグメントブルー２８（ＰＢ２８）、ＣＩピグメントグリーン５０、およびＣＩピグメントイエロー２２７が挙げられ得る。
【００２３】
流体中の異なるタイプの粒子のパーセンテージは、変動し得る。例えば、あるタイプの粒子は、電気泳動流体の体積比０．１％〜１０％、好ましくは、０．５％〜５％を占め得、別のタイプの粒子は、流体の体積比１％〜５０％、好ましくは、５％〜２０％を占め得、残りのタイプの粒子の各々は、流体の体積比２％〜２０％、好ましくは、４％〜１０％を占め得る。
【００２４】
種々のタイプの粒子は、異なる粒子サイズを有し得る。例えば、より小さい粒子は、約５０ｎｍ〜約８００ｎｍの範囲のサイズを有し得る。より大きい粒子は、より小さい粒子のサイズの約２〜約５０倍、より好ましくは、約２〜約１０倍のサイズを有し得る。
【００２５】
本発明の好ましい実施形態が、ここで、付随の図面を参照して詳細に説明されるであろうが、例証にすぎない。本発明の５粒子システムが、最初に説明され、次いで、第６のタイプの粒子を組み込むために必要とされる修正が、説明されるであろう。
【００２６】
すでに述べられたように、図１は、５つの異なる色状態を表示することができる、５つの異なるタイプの粒子を含むディスプレイ層を通した概略断面図である（すなわち、５−ＣＰディスプレイ層）。ディスプレイ層は、第１の視認表面１３（図１に図示されるような上側表面）と、ディスプレイ層の第１の表面１３と反対側の第２の表面１４とを有する。用語「視認表面」は、当然ながら、ユーザが通常画像を視認する、ディスプレイの側を指す。ディスプレイ層は、流体と、流体中に分散させられる第１、第２、第３、第４、および第５のタイプの粒子（それぞれ、円形内に囲まれた番号１−５によって示される）とを備えている、電気泳動媒体を備えている。第１、第２、第３、第４、および第５のタイプの粒子は、それぞれ、互いに異なる第１、第２、第３、第４、および第５の光学特性を有し、第１、第３、および第４のタイプの粒子は、ある極性の電荷を有し、第２および第５のタイプの粒子は、反対極性の電荷を有する。より具体的には、図１に示されるシステムでは、第１のタイプの粒子は、高正電荷を帯びた黒色粒子（Ｋ）であり、第２のタイプの粒子は、高負電荷を帯びた黄色粒子（Ｙ）である。第３のタイプの粒子は、中正電荷を帯びた青色（Ｂ）粒子であり、第４のタイプの粒子は、赤色（Ｒ）粒子であり、正に帯電されるが、それらの大きさは、黒色粒子のものより徐々に小さくなり、それは、黒色粒子は、高正粒子であり、青色粒子は、中正粒子であり、赤色粒子は、低正粒子であることを意味する。第５のタイプの粒子は、低負電荷を帯びた白色（Ｗ）粒子である。
【００２７】
図１に示されるディスプレイ層は、ディスプレイ層を横断して電場を印加する手段を具備し、これらの電場印加手段は、２つの電極層の形態を有し、その一方は、ディスプレイの視認表面全体にわたり延びている光透過性または透明共通電極層１１である。電極層１１は、インジウムスズ酸化物（ＩＴＯ）または類似光透過性導体から形成され得る。他方の電極層１２は、個別のピクセル電極１２ａの層であり、それは、ディスプレイの個々のピクセルを画定し、これらのピクセルは、図１において点線垂直線によって示される。ピクセル電極１２ａは、例えば、薄膜トランジスタ（ＴＦＴ）バックプレーンとともに、アクティブマトリクス駆動システムの一部を形成し得るが、他のタイプの電極アドレッシングも、電極がディスプレイ層を横断して必要電場を提供することを前提として使用され得る。
【００２８】
図２は、本発明の駆動方法において使用され得る、震動波形の電圧対時間グラフである。震動波形は、多数のサイクルにわたる一対の反対駆動パルスを繰り返すことから成り得る。例えば、震動波形は、２０ミリ秒にわたる＋１５Ｖパルスと、２０ミリ秒にわたる−１５Ｖパルスとから成り得、この対のパルスは、５０回繰り返される。そのような震動波形の総持続時間は、２，０００ミリ秒となるであろう。例証を容易にするために、図２は、７対のパルスのみを図示する。実際は、少なくとも１０回の反復（すなわち、１０対の正および負パルス）が存在し得る。震動波形は、駆動電圧が印加される前の光学状態にかかわらず、印加され得る。震動波形が印加された後、光学状態（視認表面、または可視である場合、第２の表面のいずれかにおいて）は、純色ではなく、５つのタイプの顔料粒子の色の混合物であろう。
【００２９】
震動波形内の駆動パルスの各々は、高正粒子の色状態から高負粒子の色状態またはその逆に駆動するために要求される駆動時間の５０％を超えずに（または３０％、１０％、もしくは５％を超えずに）印加される。例えば、ディスプレイデバイスを高正粒子の色状態から高負粒子の色状態またはその逆に駆動するために３００ミリ秒かかる場合、震動波形は、正および負パルスから成り得、パルスの各々は、１５０ミリ秒を上回らずに印加される。実際は、パルスは、より短い方が好ましい。
【００３０】
すでに述べられたように、図１に示されるディスプレイ層は、第１の黒色高正粒子と、第２の黄色高負黄色粒子と、第３の青色中正粒子と、第４の赤色低正粒子と、第５の白色低負粒子とを備えている。種々の粒子の色が視認表面において表示され得る様式が、ここで、図３−１から３−５を参照して説明されるであろう。
【００３１】
高負駆動電圧（ＶＨ２、例えば、−１５Ｖ）が、十分な長さの期間にわたって、ピクセル電極に印加されると（以降、共通電極は、０Ｖに維持され、したがって、この場合、共通電極は、ピクセル電極に対して強く正であると仮定されるであろう）（３ｂ）、電場が、発生させられ、高負黄色粒子が共通電極３１に隣接して駆動されることをもたらし、高正黒色粒子がピクセル電極３２ａに隣接して駆動されることをもたらす。
【００３２】
低正赤色および中正青色粒子は、高正黒色粒子よりゆっくりと移動し、その結果、青色粒子は、青色粒子が赤色粒子より高い電荷を帯びているので、黒色粒子の上方であるが、赤色粒子の下方に来る。黒色粒子は、３（ａ）に示されるように、ピクセル電極に最も近い。低負白色粒子は、高負黄色粒子よりゆっくり移動し、したがって、白色粒子は、黄色粒子の下方に来て、それによってマスクされ、したがって、視認表面において不可視である。したがって、黄色が視認表面において表示される。
【００３３】
逆に言えば、高正駆動電圧（ＶＨ１、例えば、＋１５Ｖ）が、十分な長さの期間にわたって、ピクセル電極に印加されると（共通電極がピクセル電極に対して強く負であるように）（３ａ）、電場が、発生させられ、高正黒色粒子が共通電極３１に隣接して駆動されることをもたらし、高負黄色粒子がピクセル電極３２ａに隣接して駆動されることをもたらす。結果として生じる粒子分布（３（ｂ））は、３（ａ）に示されるものと真逆であり、黒色が視認表面において表示される。
【００３４】
そのように印加される高駆動電圧は、ゼロ電圧と駆動電圧との交互する期間を有する、単一パルスまたはパルス状波形の形態であり得る。パルス状波形において使用される駆動電圧の大きさは、単一パルス方法において使用される駆動電圧のそれと同一であることも、同一でないこともある。例えば、１０〜２００サイクルのパルスが存在し得る。パルス状波形は、それが、互いとの粒子の凝集を防止することができ、それが粒子の層の隠蔽力の低減を通常生じさせるので、より優れた色性能につながり得る。
【００３５】
図３−１において使用される駆動方法は、したがって、以下のように要約され得る。
【００３６】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイのピクセルに第１の期間にわたって印加することであって、第１の駆動電圧は、第１のタイプの粒子と同一極性を有し、第１の期間は、第１のタイプの粒子の色状態が視認側において現れるようにピクセルを駆動するために十分である、こと、または
（ｉｉ）  第２の駆動電圧を電気泳動ディスプレイのピクセルに第２の期間にわたって印加することであって、第２の駆動電圧は、第２のタイプの粒子と同一極性を有し、第２の期間は、第２のタイプの粒子の色状態が視認側に現れるようにピクセルを駆動するために十分である、こと
を含む。
【００３７】
図３−２は、低正（赤色）粒子が図１に示されるディスプレイの視認表面において表示される様式を図示する。このプロセスは、図３−１に示され、図３−２の左側で繰り返される（黄色）状態３（ａ）から開始する。低正電圧（ＶＬ１、例えば、＋３Ｖ）が、十分な長さの期間にわたって、ピクセル電極に印加され（すなわち、共通電極は、ピクセル電極に対して若干負にされる）、高負黄色粒子をピクセル電極（３２ａ）に向かって移動させる一方、高正黒色および中正青色粒子を共通電極（３１）に向かって移動させる。しかしながら、黄色、黒色、および青色粒子が、３（ｃ）に示されるように、ピクセルと共通電極との中間において出合うと、それらは、低駆動電圧によって発生させられる電場が、それらの間の引力を克服するために十分に強くはないので、中間位置に留まる。示されるように、黄色、黒色、および青色粒子は、混合状態において、ピクセルと共通電極との中間に留まる。
【００３８】
用語「引力」は、本明細書で使用される場合、粒子電荷電位に線形に依存する静電相互作用を包含し、引力はさらに、ファンデルワールス力、疎水性相互作用等の他の力によって強化されることができる。
【００３９】
明白なこととして、引力はまた、低正赤色粒子と高負黄色粒子との間と、低負白色粒子と高正黒色および中正青色粒子の両方との間とにも存在する。しかしながら、これらの引力は、黒色と黄色粒子との間と青色と黄色粒子との間との引力ほど強くはなく、したがって、赤色および白色粒子上の弱い引力は、反対極性の低帯電粒子および高帯電粒子が分離され得るように、低駆動電圧によって発生させられる電場によって克服されることができる。低駆動電圧によって発生させられる電場は、低負白色および低正赤色粒子を分離させるために十分であり、それによって、赤色粒子に共通電極（３１）、すなわち、視認表面に隣接して移動させ、白色粒子にピクセル電極（３２ａ）に隣接して移動させる。その結果、ピクセルは、赤色を表示する一方、白色粒子は、３（ｃ）に示されるように、ピクセル電極の最も近くに置かれる。
【００４０】
図３−２の駆動方法は、したがって、以下のように要約され得る。
【００４１】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  電気泳動ディスプレイのピクセルを第２のタイプの粒子の色に駆動することと、（ｉｉ）  低駆動電圧をある期間にわたって印加することであって、低駆動電圧は、第４のタイプの粒子と同一極性を有し、期間は、第２のタイプの粒子の色状態から、第４のタイプの粒子の色状態が視認側に現れるまでピクセルを駆動するために十分である、こととを含む。
【００４２】
図３−３は、低負（白色）粒子が図１に示されるディスプレイの視認表面において表示される様式を図示する。このプロセスは、図３−１に示され、図３−３の左側で繰り返される（黒色）状態３（ｂ）から開始する。低負電圧（ＶＬ２、例えば、−１０Ｖ）が、十分な長さの期間にわたって、ピクセル電極に印加され（すなわち、共通電極は、ピクセル電極に対して若干正にされる）、高正黒色および中正青色粒子をピクセル電極（３２ａ）に向かって移動させる一方、高負黄色粒子を共通電極（３１）に向かって移動させる。しかしながら、黄色、黒色、および青色粒子が、３（ｄ）に示されるように、ピクセルと共通電極との中間において出合うと、それらは、低駆動電圧によって発生させられる電場が、それらの間の引力を克服するために十分に強くはないので、中間位置に留まる。したがって、図３−２を参照した前述のように、黄色、黒色、および青色粒子は、混合状態において、ピクセルと共通電極との中間に留まる。
【００４３】
図を参照して前述のように、引力はまた、低正赤色粒子と高負黄色粒子との間と、低負白色粒子と高正黒色および中正青色粒子の両方との間とにも存在する。しかしながら、これらの引力は、黒色と黄色粒子との間と青色と黄色粒子との間との引力ほど強くはなく、したがって、赤色および白色粒子上の弱い引力は、反対極性の低帯電粒子および高帯電粒子が分離され得るように、低駆動電圧によって発生させられる電場によって克服されることができる。低駆動電圧によって発生させられる電場は、低負白色および低正赤色粒子を分離させるために十分であり、それによって、白色粒子を共通電極（３１）、すなわち、視認表面に隣接して移動させ、赤色粒子をピクセル電極（３２ａ）に隣接して移動させる。その結果、ピクセルは、白色を表示する一方、赤色粒子は、３（ｄ）に示されるように、ピクセル電極の最も近くに置かれる。
【００４４】
図３−４および３−５は、中正（青色）粒子が図１に示されるディスプレイの視認表面において表示される様式を図示する。このプロセスは、図３−３に示され、図３−４および３−５の左側で繰り返される（白色）状態３（ｄ）から開始する図３−４および３−５の左側で繰り返される。図３−４では、中正電圧（ＶＭ１、例えば、＋１２Ｖ）が、ピクセル電極に印加される（すなわち、共通電極は、ピクセル電極に対して中度に負にされる）。中正駆動電圧は、白色粒子を共通電極から離れるように移動させ、赤色粒子をピクセル電極から離れるように移動させ、それによって、全５つのタイプの粒子を出合わせ、共通電極とピクセル電極の中間において「集団」を形成する傾向がある。印加される中電圧は、高正黒色を集団内の高負黄色粒子から分離させるために十分ではないが、（図３−２において使用される低駆動電圧を伴う状況と異なり）中正青色粒子を集団から離脱させ、共通電極に向かって移動させるために十分である。低正赤色粒子も、高負黄色粒子から分離し、共通電極に向かって移動する。しかしながら、中正青色粒子は、ピクセルが視認表面において青色を表示するように、低正赤色粒子より高速で移動し、最初に、共通電極に隣接するように到着する。同様に、低負白色粒子も、高正黒色粒子から分離し、ピクセル電極に隣接して移動し、３（ｅ）に図示される状態を産生する。
【００４５】
図３−５は、図３−４におけるような同じ白色から青色への遷移をもたらす代替方法を示す。図３−４と３−５との間の差異は、後者では、中正駆動電圧が、＋１２から＋８Ｖに低減され、その結果、青色および赤色粒子が、図３−４におけるものと同一方法において集団から分離するが、＋８Ｖの駆動電圧によって発生させられる電場が、黒色、黄色、および白色粒子が、共通電極とピクセル電極の中間において集団内に留まるように、低負白色粒子を高正黒色粒子から分離するために十分ではないことである。青色は、依然として、視認表面において表示されるが、ピクセル電極表面（可視の場合）は、図３−４におけるこの表面に表示される白色状態ではなく、黒色、黄色、および白色粒子の混合物の色を表示するであろう。大部分の実践的目的のために、この差異は、大したことではない。「混ざり物のない」場合、良好に飽和した色が、図３−１から３−５に図示される種々の色状態において得られることになり、電気泳動媒体において使用される全ての非黒色および非白色粒子は、光透過性ではなく、光反射性であるべきであることは、結像科学における当業者には容易に明白であろう。（白色粒子は、本質的に光散乱性である一方、黒色粒子は、本質的に光吸収性である。）例えば、図３−４に示される青色状態３（ｅ）では、青色粒子が実質的に光透過性である場合、視認表面を通して電気泳動層に進入する光の実質的部分は、青色粒子を通過し、この透過の部分は、青色粒子のすぐ「背後」（すなわち、図３−４に図示されるように直下）の赤色粒子から反射されるであろう。赤色粒子も、有意に光透過性であると仮定すると、青色粒子を通して透過される光のさらなる部分が、白色および黄色粒子の集団から反射されるであろう。全体的効果は、少なくとも赤色（おそらく、黄色色合いも）との所望の青色の深刻な「汚染」であり、非常に望ましくないであろう。類似考慮点は、さらにより多くの力に伴って、図２９−１から２９−７を参照して以下に説明される本発明の６つの粒子システムにも該当する。
【００４６】
図４は、図３−２の黄色から赤色への（高負から低正への）遷移をもたらすために使用され得る波形を図示する。図４の波形では、高負駆動電圧（ＶＨ２、例えば、−１５Ｖ）が、最初に、ｔ１の期間にわたって印加される。高負駆動電圧のこの初期印加は、省略され得るが、好ましくは、図４の波形全体がＤＣ平衡されることを確実にするために含まれる。（用語「ＤＣ平衡」は、波形全体にわたって行われる、時間に対してピクセルに印加される駆動電圧の積分が、実質的にゼロであることを意味するために本明細書で使用される。）震動波形が、次いで、印加され、その後、ｔ２の期間にわたって、高負駆動電圧（ＶＨ２）の印加が続き、したがって、ピクセルが図３−２に示される黄色状態にあることを確実にする。この黄色状態から、ピクセルは、ｔ３の期間にわたって、低正駆動電圧（ＶＬ１、例えば、＋３Ｖ）を印加し、図３−２に示される黄色から赤色への遷移をもたらすことによって、赤色状態に駆動される。期間ｔ２は、ＶＨ２が印加されるとき、ピクセルを黄色状態に駆動するために十分であり、期間ｔ３は、ＶＬ１が印加されるとき、ピクセルを黄色状態から赤色状態に駆動するために十分である。
【００４７】
図５は、期間ｔ３において生じる図４の波形の一部に取って代わるために使用され得る波形を図示する。図５の波形の第１の部分では、高負駆動電圧（ＶＨ２）が、ｔ４の期間にわたって、ピクセルに印加され、ピクセルを黄色状態に向かって駆動し、次いで、正駆動電圧（＋Ｖ’）が、ｔ５の期間にわたって印加され、ピクセルを赤色状態に向かって駆動する。Ｖ’の大きさは、ＶＨ（例えば、ＶＨ１またはＶＨ２）のものを下回る。＋Ｖ’の大きさは、ＶＨの大きさの５０％未満であり得、ｔ５は、ｔ４を上回り得、例えば、ｔ４は、２０〜４００ミリ秒の範囲内であり得、ｔ５は、≧２００ミリ秒であり得る。図５の波形は、少なくとも２サイクル（Ｎ≧２）、好ましくは、少なくとも４サイクル、より好ましくは、少なくとも８サイクルにわたって繰り返される。赤色は、各駆動サイクル後、より強くなる。
【００４８】
すでに述べられたように、図５の波形は、期間ｔ３において生じる図４の波形の一部に取って代わるために使用され得る。図６は、期間ｔ３において生じる図４の波形の一部が図５の波形の５サイクルによって取って代わられる（より多いまたはより少ないサイクルも、当然ながら、使用され得る）波形を図示する。言い換えると、図６の波形は、ｔ１の期間にわたって黄色に向かって駆動することと（図４参照）、震動波形と、ｔ２の期間にわたって黄色に向かって駆動することと（再び、図４参照）、次いで、図５の波形の複数のサイクルを印加することとを含む。
【００４９】
図７は、図６のそれに類似する波形を図示するが、ｔ２の期間にわたって黄色状態に向かって駆動することは、図７の波形が震動波形から図５の波形に直ちに遷移するように排除される。図６および７の波形の各々は、ＤＣ平衡され得る。
【００５０】
図５の駆動方法は、したがって、以下のように要約され得る。
【００５１】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイのピクセルに第１の期間にわたって印加し、ピクセルを第２のタイプの粒子の色状態に向かって駆動することと、
（ｉｉ）  第２のタイプの粒子の色状態から、第４のタイプの粒子の色状態が視認側に現れるようにピクセルを駆動するために、第２の駆動電圧をピクセルに第２の期間にわたって印加することであって、第２の駆動電圧は、第４のタイプの粒子と同一極性と、第１の駆動電圧のそれを下回る大きさとを有する、ことと、
ステップ（ｉ）および（ｉｉ）を繰り返すことと
を含む。
【００５２】
方法では、第２の駆動電圧の大きさは、第１の駆動電圧の大きさの５０％未満であり得る。ステップ（ｉ）および（ｉｉ）は、少なくとも２回、好ましくは、少なくとも４回、より好ましくは、少なくとも８回、繰り返され得る。方法はさらに、ステップ（ｉ）の前に、震動波形を含み得、および／またはさらに、震動波形後であるが、ステップ（ｉ）に先立って、ピクセルを第２のタイプの粒子の色状態に駆動することを含み得る。
【００５３】
図８は、期間ｔ３において生じる図４の波形の一部に取って代わるために、図５の波形の代わりに使用され得る波形を図示する。図８の波形は、ｔ６の初期期間（図５における期間ｔ４参照）にわたって黄色に向かって駆動するステップ後、ｔ７の期間（図５における期間ｔ５参照）にわたって赤色に向かって駆動するステップが続く。しかしながら、図８の波形では、期間ｔ７の後、無駆動電圧が印加されるｔ８の待ち期間が続く。図８の波形は、特に、誘電層の抵抗が、例えば、低温において高いとき、誘電層内および／または電気泳動ディスプレイデバイス内の異なる材料の層間の界面に蓄えられる電荷不平衡を解放するように設計される。（本明細書で使用される場合、用語「低温」は、約１０℃を下回る温度を指す。）待ち時間は、推定上、誘電層内に蓄えられる望ましくない電荷を消散させ、ピクセルを黄色状態に向かって駆動するための短パルスｔ６と、ピクセルを赤色状態に向かって駆動するためのより長いパルスｔ７とがより効率的にされるようにすることができる。その結果、この代替駆動方法は、より高く帯電されたものからの低帯電（赤色）粒子のより優れた分離をもたらすであろう。待ち期間ｔ８は、誘電層の抵抗に応じて、５〜５０００ミリ秒の範囲内であり得る。図８の波形全体は、少なくとも２回（Ｎ≧２）、好ましくは、少なくとも４回、より好ましくは、少なくとも８回、繰り返され得る。
【００５４】
すでに述べられたように、図８の波形は、期間ｔ３において生じる図４の波形の一部に取って代わるために使用され得る。図９は、期間ｔ３において生じる図４の波形の一部が図８の波形の４サイクルによって取って代わられる波形を図示する（より多いまたはより少ないサイクルも、当然ながら、使用され得る）。言い換えると、図９の波形は、ｔ１の期間にわたって黄色に向かって駆動することと（図４参照）、震動波形と、ｔ２の期間にわたって黄色に向かって駆動することと（再び、図４参照）、次いで、図８の波形の複数のサイクルを印加することとを含む。
【００５５】
図１０は、図９のそれに類似する波形を図示するが、ｔ２の期間にわたって黄色状態に向かって駆動することは、排除され、それによって、図１０の波形は、震動波形から図８の波形に直ちに遷移する。図９および１０の波形の各々は、ＤＣ平衡され得る。
【００５６】
図８の駆動方法は、したがって、以下のように要約され得る。
【００５７】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイのピクセルに第１の期間にわたって印加し、ピクセルを第２のタイプの粒子の色状態に向かって駆動することと、
（ｉｉ）  第２のタイプの粒子の色状態から、第４のタイプの粒子の色状態が視認側に現れるようにピクセルを駆動するために、第２の駆動電圧をピクセルに第２の期間にわたって印加することであって、第２の駆動電圧は、第４のタイプの粒子と同一極性と、第１の駆動電圧のそれを下回る大きさとを有する、ことと、
（ｉｉｉ）  無駆動電圧をピクセルに第３の期間にわたって印加することと、
ステップ（ｉ）−（ｉｉｉ）を繰り返すこととを含む。
【００５８】
方法では、第２の駆動電圧の大きさは、第１の駆動電圧の大きさの５０％未満であり得る。ステップ（ｉ）、（ｉｉ）、および（ｉｉｉ）は、少なくとも２回、好ましくは、少なくとも４回、より好ましくは、少なくとも８回、繰り返され得る。方法はさらに、ステップ（ｉ）の前に、震動波形を含み得、および／または、震動波形後であるが、ステップ（ｉ）に先立って、ピクセルを第２のタイプの粒子の色状態に駆動することをさらに含み得る。駆動期間の長さは、温度依存であり得る。
【００５９】
図１１は、期間ｔ３において生じる図４の波形の一部に取って代わるために、図５または８の波形の代わりに使用され得る波形を図示する。図１１の波形は、ｔ９の初期期間（図５における期間ｔ４参照）にわたって黄色に向かって駆動するステップ後、無駆動電圧が印加されるｔ１０の待ち時間が続く。ｔ１０の待ち時間の後、ｔ１１の期間（図５における期間ｔ５参照）にわたって赤色に向かって駆動するステップが続き、その後、無駆動電圧が印加されるｔ１２の待ち期間（図８における期間ｔ８参照）が続く。図１１の波形は、少なくとも２回、好ましくは、少なくとも４回、より好ましくは、少なくとも８回、繰り返され得る。
【００６０】
図１１の波形では、第１の待ち時間ｔ１０は、非常に短い一方、第２の待ち時間ｔ１２は、より長い。期間ｔ９はまた、期間ｔ１１より短い。例えば、ｔ９は、２０〜２００ミリ秒の範囲内であり得、ｔ１０は、１００ミリ秒未満であり得、ｔ１１は、１００〜２００ミリ秒の範囲内であり得、ｔ１２は、１０００ミリ秒未満であり得る。
【００６１】
すでに述べられたように、図１１の波形は、期間ｔ３において生じる図４の波形の一部に取って代わるために使用され得る。図１２は、期間ｔ３において生じる図４の波形の一部が図１１の波形の４サイクルによって取って代わられる波形を図示する（より多いまたはより少ないサイクルも、当然ながら、使用され得る）。言い換えると、図１２の波形は、ｔ１の期間にわたって黄色に向かって駆動することと（図４参照）、震動波形と、ｔ２の期間にわたって黄色に向かって駆動することと（再び、図４参照）、次いで、図１１の波形の複数のサイクルを印加することとを含む。原則として、期間ｔ２の終了時に達成される黄色状態が良好であるほど、より良好な赤色状態が波形の終了時に表示されるであろう。
【００６２】
図１３は、図１２のそれに類似する波形を図示するが、ｔ２の期間にわたって黄色状態に向かって駆動することは、排除され、それによって、図１３の波形は、震動波形から図１１の波形に直ちに遷移する。図１２および１３の波形の各々は、ＤＣ平衡され得る。
【００６３】
図１１の駆動方法は、したがって、以下のように要約され得る。
【００６４】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイ内のピクセルに第１の期間にわたって印加し、ピクセルを第２のタイプの粒子の色状態に向かって駆動することと、
（ｉｉ）  無駆動電圧をピクセルに第２の期間にわたって印加することと、
（ｉｉｉ）  第２のタイプの粒子の色状態から、第４のタイプの粒子の色状態が視認側に現れるようにピクセルを駆動するために、第２の駆動電圧をピクセルに第３の期間にわたって印加することであって、第２の駆動電圧は、第４のタイプの粒子と同一極性を有し、第１の駆動電圧のそれを下回る大きさを有する、ことと、
（ｉｖ）  無駆動電圧をピクセルに第４の期間にわたって印加することと、
ステップ（ｉ）−（ｉｖ）を繰り返すことと
を含む。
【００６５】
方法では、第２の駆動電圧の大きさは、第１の駆動電圧の大きさの５０％未満であり得る。ステップ（ｉ）−（ｉｖ）は、少なくとも２回、好ましくは、少なくとも４回、より好ましくは、少なくとも８回、繰り返され得る。方法はさらに、ステップ（ｉ）の前に、震動波形を含み得、および／または、震動波形後であるが、ステップ（ｉ）に先立って、ピクセルを第２のタイプの粒子の色状態に駆動することをさらに含み得る。駆動期間の長さは、温度依存であり得る。
【００６６】
この駆動方法は、特に、低温において効果的であるだけではなく、ディスプレイデバイスに、ディスプレイデバイスの製造の間に生じる構造変動のより優れた公差を提供することもできる。したがって、その有用性は、低温駆動に限定されない。
【００６７】
図１４は、図３−３の黒色から白色へ（高正から低負へ）の遷移をもたらすために使用され得る波形を図示する。本質的に、図４の波形の反転バージョンである、図１４の波形では、高正駆動電圧（ＶＨ１、例えば、＋１５Ｖ）が、最初に、ｔ１３の期間にわたって印加される。高正駆動電圧のこの初期印加は、省略され得るが、好ましくは、図１４の波形全体がＤＣ平衡されることを確実にするために含まれる。震動波形が、次いで、印加された後、ｔ１４の期間にわたって、高正駆動電圧（ＶＨ１）の印加が続き、したがって、ピクセルが図３−３に示される黒色状態にあることを確実にする。この黒色状態から、ピクセルは、ｔ１５の期間にわたって低負駆動電圧（ＶＬ２、例えば、−１０Ｖ）を印加することによって、白色状態に駆動され、図３−３に示される黒色から白色への遷移をもたらす。期間ｔ１４は、ＶＨ１が印加されるとき、ピクセルを黒色状態に駆動するために十分であり、期間ｔ１５は、ＶＬ２が印加されるとき、ピクセルを黒色状態から白色状態に駆動するために十分である。図１４の波形は、ＤＣ平衡され得る。
【００６８】
図１４の駆動方法は、したがって、以下のように要約され得る。
【００６９】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  電気泳動ディスプレイのピクセルを第１のタイプの粒子の色に駆動することと、（ｉｉ）  低駆動を電圧ある期間にわたって印加することであって、低駆動電圧は、第５のタイプの粒子と同一極性を有し、期間は、第１のタイプの粒子の色状態から、第５のタイプの粒子の色状態が視認側に現れるまでピクセルを駆動するために十分である、ことと、
を含む。
【００７０】
図１５は、期間ｔ１５において生じる図１４の波形の一部に取って代わるために使用され得る波形を図示する。本質的に、図５の波形の反転バージョンである、図１４の波形の第１の部分では、高正駆動電圧（ＶＨ１）が、ｔ１６の期間にわたってピクセルに印加され、ピクセルを黒色状態に向かって駆動し、次いで、負駆動電圧（−Ｖ’）が、ｔ１７の期間にわたって印加され、ピクセルを白色状態に向かって駆動する。−Ｖ’の大きさは、ＶＨ（例えば、ＶＨ１またはＶＨ２）のものを下回る。−Ｖ’の大きさは、ＶＨの大きさの５０％未満であり得、ｔ１７は、ｔ１６を上回り得、例えば、ｔ１６は、２０〜４００ミリ秒の範囲内であり得、ｔ１７は、≧２００ミリ秒であり得る。図１５の波形は、少なくとも２サイクル（Ｎ≧２）、好ましくは、少なくとも４サイクル、より好ましくは、少なくとも８サイクルにわたって繰り返される。白色は、各駆動サイクル後、より強くなる。
【００７１】
すでに述べられたように、図１５の波形は、期間ｔ１５において生じる図１４の波形の一部に取って代わるために使用され得る。図１６は、期間ｔ１５において生じる図１４の波形の一部が図１５の波形の４サイクルによって取って代わられる波形を図示する（より多いまたはより少ないサイクルも、当然ながら、使用され得る）。言い換えると、図１６の波形は、ｔ１３の期間にわたって黒色に向かって駆動することと（図１４参照）、震動波形と、ｔ１４の期間にわたって黒色に向かって駆動すると（再び、図１４参照）、次いで、図１５の波形の複数のサイクルを印加することを含む。
【００７２】
図１７は、図１６のそれに類似する波形を図示するが、ｔ１４の期間にわたって黒色状態に向かって駆動するステップは、排除され、図１７の波形は、震動波形から図１５の波形に直ちに遷移する。図１６および１７の波形の各々は、ＤＣ平衡され得る。
【００７３】
図１５の駆動方法は、したがって、以下のように要約され得る。
【００７４】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイのピクセルに第１の期間にわたって印加し、ピクセルを第１のタイプの粒子の色状態に向かって駆動することと、
（ｉｉ）  第１のタイプの粒子の色状態から、第５のタイプの粒子の色状が視認側に現れるようにピクセルを駆動するために、第２の駆動電圧をピクセルに第２の期間にわたって印加することであって、第２の駆動電圧は、第５のタイプの粒子と同一極性と、第１の駆動電圧のそれを下回る大きさとを有する、ことと、
ステップ（ｉ）および（ｉｉ）を繰り返すことと
を含む。
【００７５】
方法では、第２の駆動電圧の大きさは、第１の駆動電圧の大きさの５０％未満であり得る。ステップ（ｉ）および（ｉｉ）は、少なくとも２回、好ましくは、少なくとも４回、より好ましくは、少なくとも８回、繰り返され得る。方法は、ステップ（ｉ）の前に、震動波形をさらに含み得、および／または、震動波形後であるが、ステップ（ｉ）に先立って、ピクセルを第１のタイプの粒子の色状態に駆動することをさらに含み得る。駆動期間の長さは、温度依存であり得る。
【００７６】
図１８は、期間ｔ１５において生じる図１４の波形の一部に取って代わるために、図１５の波形の代わりに使用され得る波形を図示する。本質的に、図８の波形の反転バージョンである図８の波形は、ｔ１８の初期期間（図１５における期間ｔ１６参照）にわたって黒色に向かって駆動するステップ後、ｔ１９の期間（図１５における期間ｔ１７参照）にわたって白色に向かって駆動するステップが続く。しかしながら、図１８の波形では、期間ｔ１９の後、無駆動電圧が印加されるｔ２０の待ち期間が続く。図８の波形のように、図１８の波形は、特に、誘電層の抵抗が、例えば、低温において高いとき、誘電層内および／または電気泳動ディスプレイデバイス内の異なる材料の層間の界面に蓄えられる電荷不平衡を解放するように設計される。待ち時間は、推定上、誘電層内に蓄えられる望ましくない電荷を消散させ、ピクセルを黒色状態に向かって駆動するための短パルスｔ１８と、ピクセルを白色状態に向かって駆動するためのより長いパルスｔ１９とがより効率的であるようにすることができる。待ち期間ｔ２０は、誘電層の抵抗に応じて、５〜５０００ミリ秒の範囲内であり得る。図８の波形全体は、少なくとも２回（Ｎ≧２）、好ましくは、少なくとも４回、より好ましくは、少なくとも８回、繰り返され得る。図１８における期間ｔ１８およびｔ１９は、それぞれ、図１５における期間ｔ１６およびｔ１７に類似する。言い換えると、ｔ１９は、ｔ１８を上回る。
【００７７】
すでに述べられたように、図１８の波形は、期間ｔ１５において生じる図１４の波形の一部に取って代わるために使用され得る。図１９は、期間ｔ１５において生じる図１４の波形の一部が図１８の波形の３サイクルによって取って代わられる波形を図示する（より多いまたはより少ないサイクルも、当然ながら、使用され得る）。言い換えると、図１９の波形は、ｔ１３の期間にわたって黒色に向かって駆動することと（図１４参照）、震動波形と、ｔ１４の期間にわたって黒色に向かって駆動することと（再び、図１４参照）、次いで、図１８の波形の複数のサイクルを印加することとを含む。
【００７８】
図２０は、図１９のそれに類似する波形を図示するが、ｔ１４の期間にわたって黒色状態に向かって駆動するステップは、排除され、図２０の波形は、震動波形から図１８の波形に直ちに遷移する。図１９および２０の波形の各々は、ＤＣ平衡され得る。
【００７９】
図１８の駆動方法は、したがって、以下のように要約され得る。
【００８０】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイのピクセルに第１の期間にわたって印加し、ピクセルを第１のタイプの粒子の色状態に向かって駆動することと、
（ｉｉ）  第１のタイプの粒子の色状態から、第５のタイプの粒子の色状態が視認側に現れるようにピクセルを駆動するために、第２の駆動電圧をピクセルに第２の期間にわたって印加することであって、第２の駆動電圧は、第５のタイプの粒子と同一極性と、第１の駆動電圧のそれを下回る大きさとを有する、ことと、
（ｉｉｉ）  無駆動電圧をピクセルに第３の期間にわたって印加することと、
ステップ（ｉ）−（ｉｉｉ）を繰り返すことと
を含む。
【００８１】
方法では、第２の駆動電圧の大きさは、第１の駆動電圧の大きさの５０％未満であり得る。ステップ（ｉ）、（ｉｉ）、および（ｉｉｉ）は、少なくとも２回、好ましくは、少なくとも４回、より好ましくは、少なくとも８回、繰り返され得る。方法はステップ（ｉ）の前に、震動波形をさらに含み得、および／または、震動波形後であるが、ステップ（ｉ）に先立って、ピクセルを第１のタイプの粒子の色状態に駆動することをさらに含み得る。駆動期間の長さは、温度依存であり得る。
【００８２】
図２１は、期間ｔ１５において生じる図１４の波形の一部に取って代わるために、図１５または１８の波形の代わりに使用され得る波形を図示する。本質的に、図１１の波形の反転バージョンである図２１の波形は、ｔ２１の初期期間にわたって黒色に向かって駆動するステップ（図１５における期間ｔ１６参照）後に、無駆動電圧が印加されるｔ２２の待ち時間が続く。ｔ２２の待ち時間の後、ｔ２３の期間にわたって白色に向かって駆動するステップ（図１５における期間ｔ１７参照）が続き、その後、無駆動電圧が印加されるｔ２４の待ち期間が続く（図１８における期間ｔ２０参照）。図２１の波形は、少なくとも２回、好ましくは、少なくとも４回、より好ましくは、少なくとも８回、繰り返され得る。
【００８３】
図２１の波形では、第１の待ち時間ｔ２２は、非常に短い一方、第２の待ち時間ｔ２４は、より長い。期間ｔ２１はまた、期間ｔ２３より短い。例えば、ｔ２１は、２０〜２００ミリ秒の範囲内であり得、ｔ２２は、１００ミリ秒未満であり得、ｔ２３は、１００〜２００ミリ秒の範囲内であり得、ｔ２４は、１，０００ミリ秒未満であり得る。
【００８４】
すでに述べられたように、図２１の波形は、期間ｔ１５において生じる図１４の波形の一部に取って代わるために使用され得る。図２２は、期間ｔ１５において生じる図１４の波形の一部が図２１の波形３サイクルによって取って代わられる波形を図示する（より多いまたはより少ないサイクルも、当然ながら、使用され得る）。言い換えると、図２２の波形は、ｔ１３の期間にわたって黒色に向かって駆動することと（図１４参照）、震動波形と、ｔ１４の期間にわたって黒色に向かって駆動することと（再び、図１４参照）、次いで、図２１の波形の複数のサイクルを印加することとを含む。原則として、期間ｔ１４の終了時に達成される黒色状態がより良好であるほど、より良好な白色状態が波形の終了時に表示されるであろう。
【００８５】
図２３は、図２２のそれに類似する波形を図示するが、ｔ１４の期間にわたって黒色状態に向かって駆動するステップは、排除され、図２３の波形は、震動波形から図２１の波形に直ちに遷移する。図２２および２３の波形の各々は、ＤＣ平衡され得る。
【００８６】
図２１の駆動方法は、したがって、以下のように要約され得る。
【００８７】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプの粒子は、徐々に小さくなる大きさを有し、
（ｄ）  第５のタイプの粒子は、第２のタイプの粒子と同一電荷極性を帯びているが、その大きさは、第２のタイプの粒子のそれを下回り、
方法は、
（ｉ）  第１の駆動電圧を電気泳動ディスプレイ内のピクセルに第１の期間にわたって印加し、ピクセルを第１のタイプの粒子の色状態に向かって駆動することと、
（ｉｉ）  無駆動電圧をピクセルに第２の期間にわたって印加することと、
（ｉｉｉ）  第１のタイプの粒子の色状態から、第５のタイプの粒子の色状態が視認側に現れるようにピクセルを駆動するために、第２の駆動電圧をピクセルに第３の期間にわたって印加することであって、第２の駆動電圧は、第５のタイプの粒子と同一極性を有し、第１の駆動電圧のそれを下回る大きさを有する、ことと、
（ｉｖ）  無駆動電圧をピクセルに第４の期間にわたって印加することと、
ステップ（ｉ）−（ｉｖ）を繰り返すことと
を含む。
【００８８】
方法では、第２の駆動電圧の大きさは、第１の駆動電圧の大きさの５０％未満であり得る。ステップ（ｉ）−（ｉｖ）は、少なくとも２回、好ましくは、少なくとも４回、より好ましくは、少なくとも８回、繰り返され得る。方法は、ステップ（ｉ）の前に、震動波形をさらに含み得、および／または、震動波形後であるが、ステップ（ｉ）に先立って、ピクセルを第１のタイプの粒子の色状態に駆動することをさらに含み得る。駆動期間の長さは、温度依存であり得る。
【００８９】
この駆動方法は、特に、低温において効果的であるだけではなく、ディスプレイデバイスに、ディスプレイデバイスの製造の間に生じる構造変動のより優れた公差を提供することもできる。したがって、その有用性は、低温駆動に限定されない。
【００９０】
図２４は、図３−４または３−５の白色から青色へ（低負から中正へ）の遷移をもたらすために使用され得る波形を図示する。図２４の波形は、図３−４または３−５の左側に示されるピクセルを白色状態に駆動するための低負駆動電圧（ＶＬ２、例えば、−３Ｖ）後、中正駆動電圧（ＶＭ１、例えば、＋１２Ｖ）が続く「単一パルス」波形である。図２４に示される単一パルス波形は、適切なタイミングを伴って、青色状態につながり得る。単一の青色に向かうパルスのための駆動時間は、約１００〜約２，０００ミリ秒の範囲内であり得る。パルスがあまり長く印加される場合、赤色粒子が、ディスプレイの視認表面に隣接して青色粒子に追いつき得、それは、青色状態のある程度の赤色汚染を生じさせ得る。
【００９１】
代替として、図３−４または３−５の白色から青色への遷移は、図２５に示されるようなパルス状波形を使用してもたらされ得る。図２５の波形は、図２４の波形と同一の白色に向かうパルスから開始するが、図２４の波形では、単一の青色に向かうパルスの代わりに、図２５の波形は、ゼロ電圧の期間と交互する中正駆動電圧ＶＭ１の一連の短駆動パルスを有する。図２５の波形において使用される中正駆動電圧は、図２４の単一パルス波形において使用される中正駆動電圧のものと同一であることも、同一でないこともある大きさを有する。図２５のそれのような波形において、パルスの１０〜２００サイクルが存在し得る。パルス状波形は、それが、青色粒子の自己集合を防止することができ、それは、通常、そのような粒子の層の隠蔽力の低減を生じさせるので、より優れた色性能につながり得る。
【００９２】
すでに述べられたように、図１および３−１から３−５に示される５粒子システムは、高、中、および低正粒子と、高および低負粒子とを有する。中正粒子が中負粒子と取って代わられる場合、これらの中負粒子の色状態は、図２４および２５に示されるものの反転バージョンである波形を使用して、低正粒子の色状態からの遷移によって表示され得る。
【００９３】
図１および３−４から３−５に示される５粒子システムにおける中正粒子の色状態（青色）を達成するための駆動方法は、以下のように要約され得る。
【００９４】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、および第５のタイプの粒子を備え、それらの全てが、溶媒または溶媒混合物中に分散させられている電気泳動流体とを備えている電気泳動ディスプレイのための駆動方法であって、
（ａ）  ５つのタイプの顔料粒子は、互いに異なる光学特性を有し、
（ｂ）  第１および第２のタイプの粒子は、反対電荷極性を帯び、
（ｃ）  第３および第４のタイプの粒子は、第１のタイプの粒子と同一電荷極性を帯び、第１のタイプ、第３のタイプ、および第４のタイプは、徐々に小さくなる大きさを有し、（ｄ）  第５のタイプの粒子は、第２のタイプの粒子と同一電荷極性を帯びているが、その大きさは、第２のタイプの粒子のそれを下回り、
方法は、第５のタイプの粒子の色状態から、第３のタイプの粒子の色状態が視認側に現れるようにピクセルを駆動するために、駆動電圧、または駆動電圧と無駆動電圧とを交互させることを伴うパルス状波形を電気泳動ディスプレイのピクセルに印加することを含み、ピクセルは、第５のタイプの粒子の色状態にあり、駆動電圧は、第３のタイプの粒子と同一極性を有する。
【００９５】
図３−４または３−５の白色から青色への遷移のために必要とされる白色状態は、前述の方法のいずれかによって達成されることができ、図２６および２７は、こと目的のための２つの可能な波形を図示する。図２６の波形は、事実上、図１４および２４の波形の組み合わせである一方、図２７の波形は、事実上、図１４および２５の波形の組み合わせである。
【００９６】
前述の波形は、３つのレベルの正駆動電圧、すなわち、高正（ＶＨ１）、中正（ＶＭ１）、および低正（ＶＬ１）と、２つのレベルの負駆動電圧、すなわち、高負（ＶＨ２）および低負（ＶＬ２）とを利用する。中正駆動電圧（ＶＭ１）は、高正駆動電圧（ＶＨ１）の４０％〜１００％、好ましくは、５０％〜９０％であり得、低正駆動電圧（ＶＬ１）は、高正駆動電圧（ＶＨ１）の５％〜５０％、好ましくは、１５％〜４０％であり得る。低負駆動電圧（ＶＬ２）は、高負駆動電圧（ＶＨ２）の１０％〜９０％、好ましくは、３０％〜７０％であり得る。
【００９７】
中正粒子が中負粒子と取って代わられる場合、３つのレベルの負駆動電圧、すなわち、高負、中負、および低負と、２つのレベルの正駆動電圧、すなわち、高正および低正とが、要求されるであろう。そのような場合、中負駆動電圧（ＶＭ２）は、高負駆動電圧（ＶＨ２）の４０％〜１００％、好ましくは、４０％〜９０％であり得、低負駆動電圧（ＶＬ２）は、高負駆動電圧（ＶＨ２）の５％〜５０％、好ましくは、１０％〜４５％であり得る。低正駆動電圧（ＶＬ１）は、高正駆動電圧（ＶＨ１）の５％〜９５％、好ましくは、２５％〜７５％であり得る。
【００９８】
前述の「高」駆動電圧（正または負）は、通常、ピクセルをあるタイプの高帯電粒子の色状態から反対極性の別のタイプの高帯電粒子の色状態に駆動するために要求される駆動電圧である。例えば、図１および３−１から３−５に示されるシステムでは、高駆動電圧（ＶＨ１またはＶＨ２）は、ピクセルを黒色状態から黄色状態またはその逆に駆動するために十分である駆動電圧として定義される（図３−１参照）。
【００９９】
本発明の全実施形態では、５つの色状態は、電圧レベルを変動させることによって制御され、各粒子タイプ／色は、特定の駆動電圧において、ピクセル面積の１００％を占有することができるので、各個々の色状態の輝度は、損なわれない。このタイプの完全色電気泳動ディスプレイは、損なわれてない白色および黒色状態だけでなく、赤色、緑色、および青色等の他の色の損なわれていない色状態も提供するであろう。
【０１００】
前述の具体的システムでは、各ピクセルは、システムが５−ＣＰシステムであるように、５つの色状態を表示することができる。より多い色状態は、ピクセルが、各々が５つの色状態を表示可能な複数のサブピクセルから成る場合、表示され得る。例えば、各ピクセルが、３つのサブピクセルを有する場合、５つの色状態のうちの１つは、全３つのサブピクセルがその色を表示する場合のピクセルによって表示され得る。３つのサブピクセルが赤色、青色、および黒色状態をそれぞれ表示する場合、ピクセルは、マゼンタ色状態を表示するであろう。３つのサブピクセルが緑色、青色、および黒色状態をそれぞれ表示する場合、ピクセルは、シアン色状態を表示するであろう。３つのサブピクセルが赤色、緑色、および黒色状態をそれぞれ表示する場合、ピクセルは、黄色状態を表示するであろう。より多くの色状態は、駆動波形の調節を通して、または種々の画像処理技法を使用することによって表示され得る。
【０１０１】
本発明において使用される電気泳動媒体は、その形状またはサイズにかかわらず、非カプセル化されるか、マイクロカプセル化されるか、ポリマー分散電気泳動媒体であるか、またはマイクロセルもしくは例えば米国特許第６，９３０，８１８号に説明されるような他のディスプレイセル内にあるか、またはマイクロチャネル等内にあり得る。
【０１０２】
６つの異なるタイプの粒子（６−ＣＰシステム）を使用する本発明の電気泳動層と、そのような電気泳動層のための駆動方法とが、ここで、説明されるであろう。そのような層は、３つの正および３つの負タイプの粒子を有し、したがって、中正および中負の両方の粒子を含むという点において、前述の５粒子システムと異なる。
【０１０３】
図２８は、図１のものに類似するが、６つの異なる色状態を表示することができる６つの異なるタイプの粒子（それぞれ、円形内の番号１−６によって指定される）を含むディスプレイ層を通して得られる概略断面図である。図１に示される電気泳動層の高正黒色、中正青色、低正赤色、高負黄色、および低正白色に加え、図２８の電気泳動層は、中負緑色（Ｇ）粒子を含む。
【０１０４】
図２９−１から２９−５は、それぞれ、図３−１から３−５のものに類似し、同じ遷移を図示する概略断面図である。図２９−１から２９−５における黒色、黄色、青色、赤色、および白色粒子の駆動電圧および位置は、それぞれ、図３−１から３−５におけるものと本質的に同じであり、緑色粒子の位置は、以下の通りである。
（ａ）  図２９−１に示される黄色状態では、緑色粒子は、共通電極に隣接する黄色粒子と白色粒子との間にあり、
（ｂ）  図２９−１に示される黒色状態では、緑色粒子は、ピクセル電極に隣接する黄色粒子と白色粒子との間にあり、
（ｃ）  図２９−２に示される黒色状態では、緑色粒子は、ピクセルと共通電極との中間において集団内で黄色、黒色、および青色粒子と混合され、
（ｃ）  図２９−３に示される白色状態では、緑色粒子は、再び、ピクセルと共通電極との中間において集団内で黄色、黒色、および青色粒子と混合され、
（ｄ）  図２９−４に示される青色状態では、緑色粒子は、ピクセル電極と白色粒子との間にあり（可視である場合、緑色がピクセル電極において表示されるように）、
（ｅ）  図２９−５に示される青色状態では、緑色粒子は、ピクセルと共通電極との中間において集団内で黄色、黒色、および白色粒子と混合される（可視である場合、これらの４つの粒子の色の混合物がピクセル電極において表示されるであろうように）。
【０１０５】
図２９−４では、白色および緑色粒子上の電荷と、使用される具体的駆動電圧とに応じて、白色粒子のみが集団から逃散し、緑色粒子が黒色および黄色粒子とともに留まり、それによって、可視である場合、白色がピクセル電極において表示されることが可能である。すでに議論された理由から、ピクセル電極表面が、緑色または白色を表示するかどうかは、通常、実践上、ほぼ大したことではないであろう。
【０１０６】
図２９−６および２９−７は、中負（緑色）粒子が図２８に示されるディスプレイの視認表面において表示される様式を図示する。図２９−６および２９−７を図２９−４および２９−５とそれぞれ比較すると、中負（緑色）粒子を表示する方法は、本質的に、中正（青色）粒子を表示させるために使用されるものと反対であることが分かるであろう。したがって、低負（白色）粒子の色から開始する代わりに、緑色粒子を表示するためのプロセスは、図２９−２に示され、図２９−６および２９−７の左側で繰り返される低正（赤色）状態３（ｃ）から開始する。図２９−６では、中負電圧（ＶＭ２、例えば、−１０Ｖ）が、ピクセル電極に印加される（すなわち、共通電極は、ピクセル電極に対して中度に正にされる）。中負駆動電圧は、白色粒子をピクセル電極から離れるように移動させ、赤色粒子を共通電極から離れるように移動させ、それによって、全６つのタイプの粒子を出合わせ、共通電極とピクセル電極との中間において「集団」を形成させる傾向がある。印加される中電圧は、高正黒色を集団内で高負黄色粒子から分離させるために十分ではないが、（図２９−２において使用される低駆動電圧を伴う状況と異なり）中負緑色粒子を集団から離脱させ、共通電極に向かって移動させるために十分である。低負白色粒子はまた、高正黒色粒子から分離し、共通電極に向かって移動する。しかしながら、中負緑色粒子は、ピクセルが視認表面において緑色を表示するように、低負白色粒子より高速で移動し、最初に、共通電極に隣接するように到着する。同様に、低正赤色粒子および中正青色粒子は両方とも、高負黄色粒子から分離し、ピクセル電極に隣接して移動し、図２９−６に図示される状態３（ｆ）を産生する。中正青色粒子は、通常、可視である場合、青色がピクセル電極において表示されるであろうように、低正赤色粒子より高速で移動するであろう。
【０１０７】
図２９−７は、図２９−６におけるものと同じ赤色から緑色への遷移をもたらす代替方法を示す。図２９−６と２９−７との間の差異は、後者では、中負駆動電圧は、−１０から−８Ｖに低減され、その結果、緑色および白色粒子は、図２９−６におけるものと同一方法で集団から分離するが、−８Ｖの駆動電圧によって発生させられる電場は、黒色、黄色、赤色、および青色粒子が、共通電極とピクセル電極の中間において集団内に留まるように、低正赤色粒子または中正青色粒子を高負黄色粒子から分離させるために十分ではないことである。緑色は、依然として、視認表面において表示されるが、ピクセル電極表面（可視である場合）は、図２９−６におけるこの表面に表示される青色状態ではなく、黒色、黄色、赤色、および青色粒子の混合物の色を表示させるであろう。大部分の実践的目的のために、この差異は、大したものではない。
【０１０８】
図３−５、２９−５、および２９−７に図示されるタイプのシナリオは、中負緑色粒子上の電荷の大きさが中正青色粒子上のそれと同一である必要がなく、低負白色粒子上の電荷の大きさも低正赤色粒子上のそれと同一である必要はないので、可能である。実際、図２９−６または２９−７のいずれにも示されない、赤色から緑色への遷移のための第３の可能性が存在する。青色粒子は、赤色粒子を上回る電荷を帯びているので、赤色がピクセル電極において表示されるように、赤色粒子のみが集団から逃散し、青色粒子が集団内に留まる、図２９−６および２９−７に示されるものの中間として見なされ得る状況を有することが可能である。
【０１０９】
図２９−１から２９−５に図示される遷移は、一方の図３−１から３−５の遷移と他方の図２９−１から２９−５の遷移との間の唯一の差異は、すでに説明されている緑色粒子の位置であるので、図３−１から３−５を参照して前述のように、図４−２７に図示される波形のうちの適切なものを使用してもたらされることができる。故に、ここでは、図２９−６および２９−７の赤色から緑色への遷移のために必要とされる波形のみ議論することが必要であり、これは、ここで、図３０−３３を参照して行われるであろう。
【０１１０】
図３０は、図２９−６または２９−７の赤色から緑色へ（低正から中負へ）の遷移をもたらすために使用され得る波形を図示する。本質的に、図２４の波形の反転バージョンである、図３０の波形は、図２９−６または２９−７の左側に示されるピクセルを赤色状態に駆動するための低正駆動電圧（ＶＬ１、例えば、＋３Ｖ）の後、中負駆動電圧（ＶＭ２、例えば、−１２Ｖ）が続く「単一パルス」波形である。図３０に示される単一パルス波形は、適切なタイミングを伴って、緑色状態につながり得る。単一の緑色に向かうパルスのための駆動時間は、約１００〜約２，０００ミリ秒の範囲内であり得る。パルスがあまり長く印加される場合、白色粒子は、ディスプレイの視認表面に隣接する緑色粒子に追いつき得、これは、緑色状態の飽和のある程度の低減を生じさせ得る。
【０１１１】
代替として、図２９−６または２９−７の赤色から緑色への遷移は、図３１に示されるようなパルス状波形を使用してもたらされ得る。図３１の波形は、図３０の波形と同一の赤色に向かうパルスから開始するが、図３０の波形における単一の緑色に向かうパルスの代わりに、図３１の波形は、ゼロ電圧の期間と交互する中負駆動電圧ＶＭ２の一連の短駆動パルスを有する。図３１の波形において使用される中負駆動電圧は、図３０の単一パルス波形において使用される中負駆動電圧のものと同一であることも、またはそうではないこともある大きさを有する。図３１のもの等の波形では、パルスの１０〜２００サイクルが存在し得る。パルス状波形は、それが緑色粒子の自己集合を防止することができ、それは、そのような粒子の層の隠蔽力の低減を通常生じさせるので、より優れた色性能につながり得る。
【０１１２】
図２９−６または２９−７の赤色から緑色への遷移のために必要とされる赤色状態は、前述の方法のうちのいずれかによって達成されることができ、図３２および３３は、この目的のための２つの可能な波形を図示する。図３２の波形は、事実上、図４および３０の波形の組み合わせである一方、図３３の波形は、事実上、図４および３１の波形の組み合わせである。
【０１１３】
図２９−６および２９−７に示されるもの等の遷移をもたらす方法は、以下のように要約され得る。
【０１１４】
視認側上の第１の表面と、非視認側上の第２の表面と、流体が、共通電極とピクセル電極の層との間に挟まれ、第１のタイプの粒子、第２のタイプの粒子、第３のタイプの粒子、第４のタイプの粒子、第５のタイプの粒子、および第６のタイプの粒子を備え、それらの全てが、溶媒または溶媒混合物中に分散させられている電気泳動流体とを備えている電気泳動ディスプレイのための駆動方法であって、
（ａ）  ６つのタイプの顔料粒子は、互いに異なる光学特性を有し、
（ｂ）  第１のタイプ、第３のタイプ、および第５のタイプは、それぞれ、高正粒子、中正粒子、および低正粒子であり、
（ｃ）  第２のタイプ、第４のタイプ、および第６のタイプは、それぞれ、高負、中負、および低負粒子であり、
方法は、
第５のタイプの粒子の色状態から、第４のタイプの粒子の色状態が視認側に現れるようにピクセルを駆動するために、駆動電圧、または駆動電圧と無駆動電圧とを交互させることを伴うパルス状波形を電気泳動ディスプレイのピクセルに印加することを含み、ピクセルは、第５のタイプの粒子の色状態にあり、駆動電圧は、第４のタイプの粒子と同一極性を有する。
【０１１５】
高、中、および低駆動電圧間の関係と、本発明において採用され得る電気泳動層の形態とは、５粒子システムを参照して前述されており、これらの関係および形態は、６つの粒子システムにも等しく適用される。
【０１１６】
多数の変更および修正が、本発明の範囲から逸脱することなく、前述の本発明の具体的実施形態に行われることができることは、当業者に明白であろう。故に、前述の説明の全体は、限定的意味ではなく、例証として解釈されるべきである。
【図１】
2019204095.tif 000003
【図２】
2019204095.tif 000004
【図３−１】
2019204095.tif 000005
【図３−２】
2019204095.tif 000006
【図３−３】
2019204095.tif 000007
【図３−４】
2019204095.tif 000008
【図３−５】
2019204095.tif 000009
【図４】
2019204095.tif 000010
【図５】
2019204095.tif 000011
【図６】
2019204095.tif 000012
【図７】
2019204095.tif 000013
【図８】
2019204095.tif 000014
【図９】
2019204095.tif 000015
【図１０】
2019204095.tif 000016
【図１１】
2019204095.tif 000017
【図１２】
2019204095.tif 000018
【図１３】
2019204095.tif 000019
【図１４】
2019204095.tif 000020
【図１５】
2019204095.tif 000021
【図１６】
2019204095.tif 000022
【図１７】
2019204095.tif 000023
【図１８】
2019204095.tif 000024
【図１９】
2019204095.tif 000025
【図２０】
2019204095.tif 000026
【図２１】
2019204095.tif 000027
【図２２】
2019204095.tif 000028
【図２３】
2019204095.tif 000029
【図２４】
2019204095.tif 000030
【図２５】
2019204095.tif 000031
【図２６】
2019204095.tif 000032
【図２７】
2019204095.tif 000033
【図２８】
2019204095.tif 000034
【図２９−１】
2019204095.tif 000035
【図２９−２】
2019204095.tif 000036
【図２９−３】
2019204095.tif 000037
【図２９−４】
2019204095.tif 000038
【図２９−５】
2019204095.tif 000039
【図２９−６】
2019204095.tif 000040
【図２９−７】
2019204095.tif 000041
【図３０】
2019204095.tif 000042
【図３１】
2019204095.tif 000043
【図３２】
2019204095.tif 000044
【図３３】
2019204095.tif 000045
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
ディスプレイ層であって、前記ディスプレイ層は、第１の視認表面（１３）と、前記ディスプレイ層の前記第１の視認表面（１３）から反対側の第２の表面（１４）とを有し、前記ディスプレイ層は、流体と、前記流体中に分散させられている第１（Ｋ）、第２（Ｙ）、第３（Ｂ）、第４（Ｒ）および第５（Ｗ）のタイプの粒子とを備えている電気泳動媒体をさらに備え、前記第１（Ｋ）、第２（Ｙ）、第３（Ｂ）、第４（Ｒ）および第５（Ｗ）のタイプの粒子は、それぞれ、互いに異なる第１、第２、第３、第４および第５の光学特性を有し、前記第１（Ｋ）、第３（Ｂ）および第４（Ｒ）のタイプの粒子は、ある極性の電荷を有し、前記第２（Ｙ）および第５（Ｗ）のタイプの粒子は、反対極性の電荷を有し、前記第１（Ｋ）のタイプの粒子は、前記第３（Ｂ）のタイプの粒子を上回るゼータ電位または電気泳動移動度を有し、前記第３（Ｂ）のタイプの粒子は、前記第４（Ｒ）のタイプの粒子を上回るゼータ電位または電気泳動移動度を有し、前記第２（Ｙ）のタイプの粒子は、前記第５（Ｗ）のタイプの粒子を上回るゼータ電位または電気泳動移動度を有し、前記ディスプレイ層は、
（ｉ）前記第１（Ｋ）のタイプの粒子を前記第１の視認表面（１３）に向かって駆動する第１の大きさおよびある極性を有する第１の電場を印加することが、前記ディスプレイ層に前記第１の光学特性を前記第１の視認表面（１３）において表示させることと、
（ｉｉ）前記第１の光学特性が前記第１の視認表面（１３）において表示されているときに、前記第１の電場よりも低い大きさおよび前記第１の電場の極性と反対の極性を有する第２の電場を印加することが、前記ディスプレイ層に前記第５の光学特性を前記第１の視認表面（１３）において表示させることと、
（ｉｉｉ）前記第５の光学特性が前記第１の視認表面（１３）において表示されているときに、前記第１および第２の電場の大きさの中間の大きさおよび前記第１の電場と同一極性を有する第３の電場を印加することが、前記ディスプレイ層に前記第３の光学特性を前記第１の視認表面（１３）において表示させることと
を特徴とする、ディスプレイ層。
【請求項２】
前記第１、第２、第３、第４および第５の光学特性と異なる第６の光学特性を有する第６（Ｇ）のタイプの粒子をさらに備え、前記第６（Ｇ）のタイプの粒子は、前記第２（Ｙ）および第５（Ｗ）のタイプの粒子と同一極性の電荷を帯びているが、前記第２（Ｙ）および第５（Ｗ）のタイプの粒子のゼータ電位または電気泳動移動度の中間のゼータ電位または電気泳動移動度を有する、請求項１に記載のディスプレイ層。
【請求項３】
（ｉｖ）前記第２（Ｙ）のタイプの粒子を前記第１の視認表面（１３）に向かって駆動する第４の大きさおよびある極性を有する第４の電場を印加することが、前記ディスプレイ層に前記第２の光学特性を前記第１の視認表面（１３）において表示させ、
（ｖ）前記第２の光学特性が前記第１の視認表面（１３）において表示されているときに、前記第４の電場よりも低い大きさおよび前記第４の電場の極性と反対の極性を有する第５の電場を印加することが、前記ディスプレイ層に前記第４の光学特性を前記第１の視認表面（１３）において表示させ、
（ｖｉ）前記第４の光学特性が前記第１の視認表面（１３）において表示されているときに、前記第４および第５の電場の大きさの中間の大きさおよび前記第４の電場と同一極性を有する第６の電場を印加することが、前記ディスプレイ層に前記第６の光学特性を前記第１の視認表面（１３）において表示させる、請求項２に記載のディスプレイ層。
【請求項４】
前記第１の視認表面（１３）にわたって延びている光透過性電極（１１）をさらに備える、請求項１に記載のディスプレイ層。
【請求項５】
前記第２の表面（１４）に隣接して配置されている複数のピクセル電極（１２ａ）をさらに備える、請求項４に記載のディスプレイ層。
【請求項６】
前記複数のピクセル電極が、アクティブマトリクス駆動システムの一部を形成する、請求項５に記載のディスプレイ層。